(57)【要約】【課題】従来規格の画像再生装置との互換性を確保し、かつ管理が容易な高速撮影画像を記録する。【解決手段】本発明に係る画像記録再生装置１００は、高速撮影画像信号に含まれるフレームのうち毎秒３０フレームのフレームレートに相当するフレームを圧縮して第１圧縮画像データを生成する第１圧縮多重部１０５と、高速撮影画像信号に含まれるフレームのうち毎秒３０フレームのフレームレートに相当するフレーム以外のフレームを圧縮して第２圧縮画像データを生成する第２圧縮多重部１０７と、記録媒体２００にＢＤＭＶメインフォルダ２１０と、ＨＩＧＨＲＡＴＥメインフォルダ２２０とを形成し、第１圧縮画像データと第１圧縮画像データを再生するための第１制御情報とをＢＤＭＶメインフォルダ２１０に記録し、第２圧縮画像データをＨＩＧＨＲＡＴＥメインフォルダ２２０に記録する記録処理部１０６とを備える。【選択図】図２
2009177531.tif 000002
【特許請求の範囲】
【請求項１】
第１フレームレートよりも高い第２フレームレートで高速撮影画像を撮影し、ファイルシステムで初期化された着脱可能な記録媒体に当該高速撮影画像を記録する画像記録装置であって、
入射された光信号を電気信号に変換する撮像素子と、
前記撮像素子により変換された電気信号から、前記第２フレームレートの高速撮影画像信号を生成する画像信号処理部と、
前記高速撮影画像信号に含まれるフレームのうち前記第１フレームレートに相当するフレームを圧縮して第１圧縮画像データを生成する第１圧縮部と、
前記高速撮影画像信号に含まれるフレームのうち前記第１フレームレートに相当するフレーム以外のフレームを圧縮して第２圧縮画像データを生成する第２圧縮部と、
前記第１圧縮画像データ及び前記第２圧縮画像データを前記記録媒体に記録する記録部とを備え、
前記記録部は、前記ファイルシステムにおけるディレクトリ構成の最上位階層に従来互換フォルダと、高速撮影用フォルダとを形成し、前記第１圧縮画像データと、前記第１圧縮画像データを再生するための第１制御情報とを前記従来互換フォルダに関連付けて記録し、前記第２圧縮画像データを前記高速撮影用フォルダに関連付けて記録する
ことを特徴とする画像記録装置。
【請求項２】
前記記録部は、さらに、前記第２圧縮画像データを再生するための第２制御情報を、前記高速撮影用フォルダに関連付けて記録する
ことを特徴とする請求項１に記載の画像記録装置。
【請求項３】
前記記録部は、前記従来互換フォルダが有する下位のフォルダ階層の構成と同じ下位のフォルダ階層の構成を有する前記高速撮影用フォルダを形成する
ことを特徴とする請求項２に記載の画像記録装置。
【請求項４】
前記第１圧縮部及び前記第２圧縮部は、前記第１圧縮画像データ及び前記第２圧縮画像データを階層符号化により生成する
ことを特徴とする請求項１、２又は３に記載の画像記録装置。
【請求項５】
第１解像度よりも高い第２解像度で高解像度画像を撮影し、ファイルシステムで初期化された着脱可能な記録媒体に当該高解像度画像を記録する画像記録装置であって、
入射された光信号を電気信号に変換する撮像素子と、
前記撮像素子により変換された電気信号から、前記第２解像度の高解像度画像信号を生成する画像信号処理部と、
前記高解像度画像信号の解像度を変換することで前記第１解像度の通常画像信号を生成する第１解像度変換部と、
前記通常画像信号を圧縮して第１圧縮画像データを生成する第１圧縮部と、
前記高解像度画像信号を圧縮して第２圧縮画像データを生成する第２圧縮部と、
前記第１圧縮画像データ及び前記第２圧縮画像データを前記記録媒体に記録する記録部とを備え、
前記記録部は、前記ファイルシステムにおけるディレクトリ構成の最上位階層に従来互換フォルダと、高解像度撮影用フォルダとを形成し、前記第１圧縮画像データと、前記第１圧縮画像データを再生するための第１制御情報とを前記従来互換フォルダに関連付けて記録し、前記第２圧縮画像データを前記高解像度撮影用フォルダに関連付けて記録する
ことを特徴とする画像記録装置。
【請求項６】
前記記録部は、さらに、前記第２圧縮画像データを再生するための第２制御情報を、前記高解像度撮影用フォルダに関連付けて記録する
ことを特徴とする請求項５に記載の画像記録装置。
【請求項７】
前記記録部は、前記従来互換フォルダが有する下位のフォルダ階層の構成と同じ下位のフォルダ階層の構成を有する前記高解像度撮影用フォルダを形成する
ことを特徴とする請求項６に記載の画像記録装置。
【請求項８】
前記第１圧縮部及び前記第２圧縮部は、前記第１圧縮画像データ及び前記第２圧縮画像データを階層符号化により生成する
ことを特徴とする請求項５、６又は７に記載の画像記録装置。
【請求項９】
ファイルシステムで初期化された着脱可能な記録媒体に記録された第１フレームレートより高い第２フレームレートの高速撮影画像を再生する画像再生装置であって、
前記記録媒体の前記ファイルシステムにおけるディレクトリ構成の最上位階層に形成された従来互換フォルダに関連付けられ記録される、前記高速撮影画像に含まれるフレームのうち前記第１フレームレートに相当するフレームが圧縮された第１圧縮画像データと、前記最上位階層に形成された高速撮影用フォルダに関連付けられ記録される、前記高速撮影画像に含まれるフレームのうち前記第１フレームレートに相当するフレーム以外のフレームが圧縮された第２圧縮画像データとを読み出す読み出し部と、
前記第１圧縮画像データを伸張することで第１画像データを生成する第１伸張部と、
前記第２圧縮画像データを伸張することで第２画像データを生成する第２伸張部と、
前記記録媒体に前記第２圧縮画像データが記録されていない場合、前記第１画像データから前記第１フレームレートの通常撮影画像信号を生成し、前記記録媒体に前記第２圧縮画像データが記録されている場合、前記第１画像データと前記第２画像データとを合成することで前記第２フレームレートの高速撮影画像信号を生成する画像信号処理部と、
前記通常撮影画像信号、又は前記高速撮影画像信号を再生する再生部とを備える
ことを特徴とする画像再生装置。
【請求項１０】
ファイルシステムで初期化された着脱可能な記録媒体に記録された第１解像度より高い第２解像度の高解像度画像を再生する画像再生装置であって、
前記記録媒体の前記ファイルシステムにおけるディレクトリ構成の最上位階層に形成された従来互換フォルダに関連付けられ記録される、前記第１解像度の通常画像が圧縮された第１圧縮画像データと、前記最上位階層に形成された高解像度撮影用フォルダに関連付けられ記録される、前記高解像度画像が圧縮された第２圧縮画像データとを読み出す読み出し部と、
前記第１圧縮画像データを伸張することで第１画像データを生成する第１伸張部と、
前記第２圧縮画像データを伸張することで第２画像データを生成する第２伸張部と、
前記記録媒体に前記第２圧縮画像データが記録されていない場合、前記第１画像データから前記第１解像度の通常画像信号を生成し、前記記録媒体に前記第２圧縮画像データが記録されている場合、前記第２画像データから前記第２解像度の高解像度画像信号を生成する画像信号処理部と、
前記通常画像信号、又は前記高解像度画像信号を再生する再生部とを備える
ことを特徴とする画像再生装置。
【請求項１１】
前記第２伸張部は、前記第1伸張部により生成された前記第1画像データを利用して、前記第２圧縮画像データを伸張する
ことを特徴とする請求項１０に記載の画像再生装置。
【請求項１２】
第１フレームレートより高い第２フレームレートの高速撮影画像が記録された、ファイルシステムで初期化された、画像記録装置及び画像再生装置に着脱可能な記録媒体であって、
前記ファイルシステムにおけるディレクトリ構成の最上位階層に従来互換フォルダと、高速撮影用フォルダとが形成され、
前記従来互換フォルダに関連付けられ、前記高速撮影画像に含まれるフレームのうち前記第１フレームレートに相当するフレームが圧縮された第１圧縮画像データと、前記第１圧縮画像データを再生するための第１制御情報とが記録され、
前記高速撮影用フォルダに関連付けられ、前記高速撮影画像に含まれるフレームのうち前記第１フレームレートに相当するフレーム以外のフレームが圧縮された第２圧縮画像データが記録される
ことを特徴とする記録媒体。
【請求項１３】
前記記録媒体は、さらに、前記高速撮影用フォルダに関連付けられ、前記第２圧縮画像データを再生するための第２制御情報が記録される
ことを特徴とする請求項１２に記載の記録媒体。
【請求項１４】
前記従来互換フォルダと前記高速撮影用フォルダとは、下位に含まれるフォルダ階層の構成が同じである
ことを特徴とする請求項１３に記載の記録媒体。
【請求項１５】
前記第１圧縮画像データと前記第２圧縮画像データとは、階層符号化により生成される
ことを特徴とする請求項１２、１３又は１４に記載の記録媒体。
【請求項１６】
第１解像度より高い第２解像度の高解像度画像が記録された、ファイルシステムで初期化された、画像記録装置及び画像再生装置に着脱可能な記録媒体であって、
前記ファイルシステムにおけるディレクトリ構成の最上位階層に従来互換フォルダと、高解像度撮影用フォルダとが形成され、
前記従来互換フォルダに関連付けられ、前記第１解像度の通常画像が圧縮された第１圧縮画像データと、前記第１圧縮画像データを再生するための第１制御情報とが記録され、
前記高解像度撮影用フォルダに関連付けられ、前記高解像度画像が圧縮された第２圧縮画像データが記録される
ことを特徴とする記録媒体。
【請求項１７】
前記記録媒体は、さらに、前記高解像度撮影用フォルダに関連付けられ、前記第２圧縮画像データを再生するための第２制御情報が記録される
ことを特徴とする請求項１６に記載の記録媒体。
【請求項１８】
前記従来互換フォルダと前記高解像度撮影用フォルダとは、下位に含まれるフォルダ階層の構成が同じである
ことを特徴とする請求項１７に記載の記録媒体。
【請求項１９】
前記第１圧縮画像データと前記第２圧縮画像データとは、階層符号化により生成される
ことを特徴とする請求項１６、１７又は１８に記載の記録媒体。
【請求項２０】
第１フレームレートよりも高い第２フレームレートで高速撮影画像を撮影し、ファイルシステムで初期化された着脱可能な記録媒体に当該高速撮影画像を記録する画像記録装置における画像記録方法であって、
入射された光信号を電気信号に変換する変換ステップと、
前記変換された電気信号から、前記第２フレームレートの高速撮影画像信号を生成する画像信号処理ステップと、
前記高速撮影画像信号に含まれるフレームのうち前記第１フレームレートに相当するフレームを圧縮して第１圧縮画像データを生成する第１圧縮ステップと、
前記高速撮影画像信号に含まれるフレームのうち前記第１フレームレートに相当するフレーム以外のフレームを圧縮して第２圧縮画像データを生成する第２圧縮ステップと、
前記第１圧縮画像データ及び前記第２圧縮画像データを前記記録媒体に記録する記録ステップとを含み、
前記記録ステップでは、前記ファイルシステムにおけるディレクトリ構成の最上位階層に従来互換フォルダと、高速撮影用フォルダとを形成し、前記第１圧縮画像データと、前記第１圧縮画像データを再生するための第１制御情報とを前記従来互換フォルダに関連付けて記録し、前記第２圧縮画像データを前記高速撮影用フォルダに関連付けて記録する
ことを特徴とする画像記録方法。
【請求項２１】
第１フレームレートよりも高い第２フレームレートで高速撮影画像を撮影し、ファイルシステムで初期化された着脱可能な記録媒体に当該高速撮影画像を記録する画像記録装置における画像記録方法のプログラムであって、
入射された光信号を電気信号に変換する変換ステップと、
前記変換された電気信号から、前記第２フレームレートの高速撮影画像信号を生成する画像信号処理ステップと、
前記高速撮影画像信号に含まれるフレームのうち前記第１フレームレートに相当するフレームを圧縮して第１圧縮画像データを生成する第１圧縮ステップと、
前記高速撮影画像信号に含まれるフレームのうち前記第１フレームレートに相当するフレーム以外のフレームを圧縮して第２圧縮画像データを生成する第２圧縮ステップと、
前記第１圧縮画像データ及び前記第２圧縮画像データを前記記録媒体に記録する記録ステップとを含み、
前記記録ステップでは、前記ファイルシステムにおけるディレクトリ構成の最上位階層に従来互換フォルダと、高速撮影用フォルダとを形成し、前記第１圧縮画像データと、前記第１圧縮画像データを再生するための第１制御情報とを前記従来互換フォルダに関連付けて記録し、前記第２圧縮画像データを前記高速撮影用フォルダに関連付けて記録する画像記録方法をコンピュータに実行させる
ことを特徴とするプログラム。
【発明の詳細な説明】
【技術分野】
【０００１】
本発明は、画像記録装置、画像再生装置、記録媒体、画像記録方法及びプログラムに関し、特に、高速撮影画像又は高解像度画像を着脱可能な記録媒体に記録する画像記録装置、当該画像記録装置により高速撮影画像又は高解像度画像が記録された記録媒体、及び当該記録媒体に記録された高速撮影画像又は高解像度画像を再生する画像再生装置に関する。
【背景技術】
【０００２】
追記型ＤＶＤカムコーダなどの画像記録装置において、毎秒３０フレームよりも高いフレームレートの高速撮影画像を記録する画像記録装置が知られている。高フレームレートで撮像された高速撮影画像をスロー再生することで高精度の解析を行えるので、高速撮影画像を記録する画像記録装置は研究開発等の分野で用いられている。
【０００３】
高速撮影画像を記録する従来の画像記録装置としては、高速撮影画像の各フレームを小画面にサイズ変更して画面分割多重したのちに通常画像として記録する画像記録装置が提案されている（例えば、特許文献１参照。）。
【０００４】
しかしながら、特許文献１記載の従来の画像記録装置では、各フレームを縮小したのちに記録するため、各フレームの画質が劣化するという問題がある。また、高速再生画像の再生に対応していない画像再生装置で再生した場合、画面分割した状態のまま表示されてしまう。つまり、特許文献１記載の画像記録装置は、高速再生画像の再生に対応していない従来規格の画像再生装置との互換性を確保できないという問題がある。
【０００５】
これに対して、毎秒３０フレームより高い高速撮影画像を構成しているフレームのうち、毎秒３０フレームに相当するフレームを着脱可能なメモリに記録し、それ以外のフレームを別のメモリに記録する画像記録装置が提案されている（例えば、特許文献２参照。）。
【０００６】
特許文献２記載の画像記録装置は、各フレームの縮小等を行わないので画質の劣化を生じさせることがない。さらに、特許文献２記載の画像記録装置は、高速撮影画像のうち毎秒３０フレームに相当するフレームと、それ以外のフレームとを別のメモリに格納したうえで、毎秒３０フレームに相当するフレームのみを用いることで、高速再生画像の再生に対応していない従来規格の画像再生装置との互換性を確保できる。
【特許文献１】特許第２７１８４０９号公報
【特許文献２】特開２００７−１０４５８４号公報
【発明の開示】
【発明が解決しようとする課題】
【０００７】
しかしながら、特許文献２記載の従来の画像記録装置では、毎秒３０フレーム相当の画像と、それ以外のフレームとを別々のメモリに保存するため、高速撮影画像としてのデータ管理が困難という問題がある。
【０００８】
そこで、本発明は上記問題に鑑みてなされたものであり、従来規格の画像再生装置との互換性を確保でき、かつ管理が容易な高速撮影画像を記録できる画像記録装置と、従来規格の画像再生装置との互換性を確保でき、かつ管理が容易な高速撮影画像が記録された記録媒体と、当該記録媒体に記録された高速撮影画像を再生する画像再生装置とを提供することを目的とする。
【課題を解決するための手段】
【０００９】
上記目的を達成するために、本発明に係る画像記録装置は、第１フレームレートよりも高い第２フレームレートで高速撮影画像を撮影し、ファイルシステムで初期化された着脱可能な記録媒体に当該高速撮影画像を記録する画像記録装置であって、入射された光信号を電気信号に変換する撮像素子と、前記撮像素子により変換された電気信号から、前記第２フレームレートの高速撮影画像信号を生成する画像信号処理部と、前記高速撮影画像信号に含まれるフレームのうち前記第１フレームレートに相当するフレームを圧縮して第１圧縮画像データを生成する第１圧縮部と、前記高速撮影画像信号に含まれるフレームのうち前記第１フレームレートに相当するフレーム以外のフレームを圧縮して第２圧縮画像データを生成する第２圧縮部と、前記第１圧縮画像データ及び前記第２圧縮画像データを前記記録媒体に記録する記録部とを備え、前記記録部は、前記ファイルシステムにおけるディレクトリ構成の最上位階層に従来互換フォルダと、高速撮影用フォルダとを形成し、前記第１圧縮画像データと、前記第１圧縮画像データを再生するための第１制御情報とを前記従来互換フォルダに関連付けて記録し、前記第２圧縮画像データを前記高速撮影用フォルダに関連付けて記録する。
【００１０】
この構成によれば、第１フレームレートの画像データが従来互換フォルダに記録され、第２フレームレートの画像データのうち、第１フレームレートに相当するフレーム以外の画像データが高速撮影用フォルダに記録される。これにより、高速撮影画像に対応していない従来規格の画像再生装置が、本発明に係る画像記録装置により高速撮影画像が記録された記録媒体を再生する場合、従来規格の画像再生装置は、従来互換フォルダに含まれる画像データを再生することで第１フレームレートの画像を再生できる。よって、本発明に係る画像記録装置は、従来規格の画像再生装置との互換性を確保できる。
【００１１】
さらに、高速撮影画像に対応した画像再生装置が、本発明に係る画像記録装置により高速撮影画像が記録された記録媒体を再生する場合、従来互換フォルダ及び高速撮影用フォルダに記録された第１圧縮画像データ及び第２圧縮画像データをそれぞれ伸張し、合成することで、高速撮影画像を復元し、再生できる。
【００１２】
さらに、本発明に係る画像記録装置は、１つの記録媒体に形成されたファイルシステム内に、従来規格に対応した画像データと、高速撮影画像を再生するための補助データとを記録する。よって、本発明に係る画像記録装置により記録された高速撮影画像は、複数の記録媒体に従来規格に対応した画像データと、高速撮影画像を再生するための補助データとが分割して記録された高速撮影画像に比べ、管理が容易である。つまり、本発明に係る画像記録装置は、管理が容易な高速撮影画像を記録できる。
【００１３】
また、前記記録部は、さらに、前記第２圧縮画像データを再生するための第２制御情報を、前記高速撮影用フォルダに関連付けて記録してもよい。
【００１４】
この構成によれば、第２制御情報が従来規格フォルダ内に形成されないので、第２制御情報が従来規格フォルダの画像データの再生に悪影響を与えない。さらに、本発明に係る画像記録装置により記録された高速撮影画像を再生する際に、画像再生装置は、第２制御情報を用いて第２圧縮画像データを第１圧縮画像データと同期させてスロー再生できる。
【００１５】
また、前記記録部は、前記従来互換フォルダが有する下位のフォルダ階層の構成と同じ下位のフォルダ階層の構成を有する前記高速撮影用フォルダを形成してもよい。
【００１６】
この構成によれば、画像再生装置等の再生編集装置において、本発明に係る画像記録再生装置により記録媒体に記録された高速撮影画像の再生編集を行う際、第２圧縮画像データに対して編集などの操作を行う編集処理アルゴリズムを、第１圧縮画像データに対する従来の編集処理アルゴリズムと共用化できる。よって、新たに高速撮影画像用の編集処理アルゴリズムを実装する必要がないので、再生編集装置の実装の手間を減少できる。
【００１７】
また、前記第１圧縮部及び前記第２圧縮部は、前記第１圧縮画像データ及び前記第２圧縮画像データを階層符号化により生成してもよい。
【００１８】
この構成によれば、第２圧縮画像データの圧縮効率を高めることができる。
また、本発明に係る画像記録装置は、第１解像度よりも高い第２解像度で高解像度画像を撮影し、ファイルシステムで初期化された着脱可能な記録媒体に当該高解像度画像を記録する画像記録装置であって、入射された光信号を電気信号に変換する撮像素子と、前記撮像素子により変換された電気信号から、前記第２解像度の高解像度画像信号を生成する画像信号処理部と、前記高解像度画像信号の解像度を変換することで前記第１解像度の通常画像信号を生成する第１解像度変換部と、前記通常画像信号を圧縮して第１圧縮画像データを生成する第１圧縮部と、前記高解像度画像信号を圧縮して第２圧縮画像データを生成する第２圧縮部と、前記第１圧縮画像データ及び前記第２圧縮画像データを前記記録媒体に記録する記録部とを備え、前記記録部は、前記ファイルシステムにおけるディレクトリ構成の最上位階層に従来互換フォルダと、高解像度撮影用フォルダとを形成し、前記第１圧縮画像データと、前記第１圧縮画像データを再生するための第１制御情報とを前記従来互換フォルダに関連付けて記録し、前記第２圧縮画像データを前記高解像度撮影用フォルダに関連付けて記録する。
【００１９】
この構成によれば、第１解像度の画像データが従来互換フォルダに記録され、第２解像度の画像データが高解像度撮影用フォルダに記録される。これにより、高解像度画像に対応していない従来規格の画像再生装置が、本発明に係る画像記録装置により高解像度画像が記録された記録媒体を再生する場合、従来規格の画像再生装置は、従来互換フォルダに含まれる画像データを再生することで第１解像度の画像を再生できる。よって、本発明に係る画像記録装置は、従来規格の画像再生装置との互換性を確保できる。
【００２０】
さらに、高解像度画像に対応した画像再生装置が、本発明に係る画像記録装置により高解像度画像が記録された記録媒体を再生する場合、高解像度撮影用フォルダに記録された画像データを再生することで第２解像度の画像を再生できる。
【００２１】
また、前記記録部は、さらに、前記第２圧縮画像データを再生するための第２制御情報を、前記高解像度撮影用フォルダに関連付けて記録してもよい。
【００２２】
この構成によれば、第２制御情報が従来規格フォルダ内に形成されないので、第２制御情報が従来規格フォルダの画像データの再生に悪影響を与えない。さらに、本発明に係る画像記録装置により記録された高解像度画像を再生する際に、画像再生装置は、第２制御情報を用いて第２圧縮画像データを再生できる。
【００２３】
また、前記記録部は、前記従来互換フォルダが有する下位のフォルダ階層の構成と同じ下位のフォルダ階層の構成を有する前記高解像度撮影用フォルダを形成してもよい。
【００２４】
この構成によれば、画像再生装置等の再生編集装置において、本発明に係る画像記録再生装置により記録媒体に記録された高解像度画像の再生編集を行う際、第２圧縮画像データに対して編集などの操作を行う編集処理アルゴリズムを、第１圧縮画像データに対する従来の編集処理アルゴリズムと共用化できる。よって、新たに高解像度画像用の編集処理アルゴリズムを実装する必要がないので、再生編集装置の実装の手間を減少できる。
【００２５】
また、前記第１圧縮部及び前記第２圧縮部は、前記第１圧縮画像データ及び前記第２圧縮画像データを階層符号化により生成してもよい。
【００２６】
この構成によれば、第２圧縮画像データの圧縮効率を高めることができる。
また、本発明に係る画像再生装置は、ファイルシステムで初期化された着脱可能な記録媒体に記録された第１フレームレートより高い第２フレームレートの高速撮影画像を再生する画像再生装置であって、前記記録媒体の前記ファイルシステムにおけるディレクトリ構成の最上位階層に形成された従来互換フォルダに関連付けられ記録される、前記高速撮影画像に含まれるフレームのうち前記第１フレームレートに相当するフレームが圧縮された第１圧縮画像データと、前記最上位階層に形成された高速撮影用フォルダに関連付けられ記録される、前記高速撮影画像に含まれるフレームのうち前記第１フレームレートに相当するフレーム以外のフレームが圧縮された第２圧縮画像データとを読み出す読み出し部と、前記第１圧縮画像データを伸張することで第１画像データを生成する第１伸張部と、前記第２圧縮画像データを伸張することで第２画像データを生成する第２伸張部と、前記記録媒体に前記第２圧縮画像データが記録されていない場合、前記第１画像データから前記第１フレームレートの通常撮影画像信号を生成し、前記記録媒体に前記第２圧縮画像データが記録されている場合、前記第１画像データと前記第２画像データとを合成することで前記第２フレームレートの高速撮影画像信号を生成する画像信号処理部と、前記通常撮影画像信号、又は前記高速撮影画像信号を再生する再生部とを備える。
【００２７】
この構成によれば、本発明に係る画像再生装置は、高速撮影画像が記録された記録媒体については、高速撮影画像を復元して滑らかなスロー再生画像を再生できる。さらに、高速撮影に対応していない従来規格の画像記録装置により記録媒体に記録された通常撮影画像については、毎秒３０フレーム相当の画像を再生できる。
【００２８】
また、本発明に係る画像再生装置は、ファイルシステムで初期化された着脱可能な記録媒体に記録された第１解像度より高い第２解像度の高解像度画像を再生する画像再生装置であって、前記記録媒体の前記ファイルシステムにおけるディレクトリ構成の最上位階層に形成された従来互換フォルダに関連付けられ記録される、前記第１解像度の通常画像が圧縮された第１圧縮画像データと、前記最上位階層に形成された高解像度撮影用フォルダに関連付けられ記録される、前記高解像度画像が圧縮された第２圧縮画像データとを読み出す読み出し部と、前記第１圧縮画像データを伸張することで第１画像データを生成する第１伸張部と、前記第２圧縮画像データを伸張することで第２画像データを生成する第２伸張部と、前記記録媒体に前記第２圧縮画像データが記録されていない場合、前記第１画像データから前記第１解像度の通常画像信号を生成し、前記記録媒体に前記第２圧縮画像データが記録されている場合、前記第２画像データから前記第２解像度の高解像度画像信号を生成する画像信号処理部と、前記通常画像信号、又は前記高解像度画像信号を再生する再生部とを備える。
【００２９】
この構成によれば、本発明に係る画像再生装置は、高解像度画像が記録された記録媒体については、高解像度画像を再生できる。さらに、高解像度画像に対応していない従来規格の画像記録装置により記録媒体に記録された通常撮影画像については、第１解像度の画像を再生できる。
【００３０】
また、前記第２伸張部は、前記第1伸張部により生成された前記第1画像データを利用して、前記第２圧縮画像データを伸張してもよい。
【００３１】
また、本発明に係る記録媒体は、第１フレームレートより高い第２フレームレートの高速撮影画像が記録された、ファイルシステムで初期化された、画像記録装置及び画像再生装置に着脱可能な記録媒体であって、前記ファイルシステムにおけるディレクトリ構成の最上位階層に従来互換フォルダと、高速撮影用フォルダとが形成され、前記従来互換フォルダに関連付けられ、前記高速撮影画像に含まれるフレームのうち前記第１フレームレートに相当するフレームが圧縮された第１圧縮画像データと、前記第１圧縮画像データを再生するための第１制御情報とが記録され、前記高速撮影用フォルダに関連付けられ、前記高速撮影画像に含まれるフレームのうち前記第１フレームレートに相当するフレーム以外のフレームが圧縮された第２圧縮画像データが記録される。
【００３２】
この構成によれば、第１フレームレートの画像データが従来互換フォルダに記録され、第２フレームレートの画像データのうち、第１フレームレートに相当するフレーム以外の画像データが高速撮影用フォルダに記録される。これにより、高速撮影画像に対応していない従来規格の画像再生装置が、本発明に係る記録媒体を再生する場合、従来規格の画像再生装置は、従来互換フォルダに含まれる画像データを再生することで第１フレームレートの画像を再生できる。よって、本発明に係る記録媒体は、従来規格の画像再生装置との互換性を確保できる。
【００３３】
さらに、高速撮影画像に対応した画像再生装置が、本発明に係る記録媒体を再生する場合、従来互換フォルダ及び高速撮影用フォルダに記録された第１圧縮画像データ及び第２圧縮画像データをそれぞれ伸張し、合成することで、高速撮影画像を復元し、再生できる。
【００３４】
さらに、本発明に係る記録媒体は、１つのファイルシステム内に、従来規格に対応した画像データと、高速撮影画像を再生するための補助データとが記録される。よって、本発明に係る記録媒体に記録された高速撮影画像は、複数の記録媒体に従来規格に対応した画像データと、高速撮影画像を再生するための補助データとが分割して記録された高速撮影画像に比べ、管理が容易である。
【００３５】
また、前記記録媒体は、さらに、前記高速撮影用に関連付けられ、前記第２圧縮画像データを再生するための第２制御情報が記録されてもよい。
【００３６】
この構成によれば、第２制御情報が従来規格フォルダ内に形成されないので、第２制御情報が従来規格フォルダの画像データの再生に悪影響を与えない。さらに、本発明に係る記録媒体に記録された高速撮影画像を再生する際に、画像再生装置は、第２制御情報を用いて第２圧縮画像データを第１圧縮画像データと同期させてスロー再生できる。
【００３７】
また、前記従来互換フォルダと前記高速撮影用フォルダとは、下位に含まれるフォルダ階層の構成が同じであってもよい。
【００３８】
この構成によれば、画像再生装置等の再生編集装置において、本発明に係る記録媒体に記録された高速撮影画像の再生編集を行う際、第２圧縮画像データに対して編集などの操作を行う編集処理アルゴリズムを、第１圧縮画像データに対する従来の編集処理アルゴリズムと共用化できる。よって、新たに高速撮影画像用の編集処理アルゴリズムを実装する必要がないので、再生編集装置の実装の手間を減少できる。
【００３９】
また、前記第１圧縮画像データと前記第２圧縮画像データとは、階層符号化により生成されてもよい。
【００４０】
この構成によれば、第２圧縮画像データの圧縮効率を高めることができる。
また、本発明に係る記録媒体は、第１解像度より高い第２解像度の高解像度画像が記録された、ファイルシステムで初期化された、画像記録装置及び画像再生装置に着脱可能な記録媒体であって、前記ファイルシステムにおけるディレクトリ構成の最上位階層に従来互換フォルダと、高解像度撮影用フォルダとが形成され、前記従来互換フォルダに関連付けられ、前記第１解像度の通常画像が圧縮された第１圧縮画像データと、前記第１圧縮画像データを再生するための第１制御情報とが記録され、前記高解像度撮影用フォルダに関連付けられ、前記高解像度画像が圧縮された第２圧縮画像データが記録される。
【００４１】
この構成によれば、第１解像度の画像データが従来互換フォルダに記録され、第２解像度の画像データが高解像度撮影用フォルダに記録される。これにより、高解像度画像に対応していない従来規格の画像再生装置が、本発明に係る記録媒体を再生する場合、従来規格の画像再生装置は、従来互換フォルダに含まれる画像データを再生することで第１解像度の画像を再生できる。よって、本発明に係る記録媒体は、従来規格の画像再生装置との互換性を確保できる。
【００４２】
さらに、高解像度画像に対応した画像再生装置が、本発明に係る記録媒体を再生する場合、高解像度撮影用フォルダに記録された第２圧縮画像データを伸張することで、高解像度画像を復元し、再生できる。
【００４３】
また、前記記録媒体は、さらに、前記高解像度撮影用フォルダに関連付けられ、前記第２圧縮画像データを再生するための第２制御情報が記録されてもよい。
【００４４】
この構成によれば、第２制御情報が従来規格フォルダ内に形成されないので、第２制御情報が従来規格フォルダの画像データの再生に悪影響を与えない。さらに、本発明に係る記録媒体に記録された高解像度画像を再生する際に、画像再生装置は、第２制御情報を用いて第２圧縮画像データを再生できる。
【００４５】
また、前記従来互換フォルダと前記高解像度撮影用フォルダとは、下位に含まれるフォルダ階層の構成が同じであってもよい。
【００４６】
この構成によれば、画像再生装置等の再生編集装置において、本発明に係る記録媒体に記録された高解像度画像の再生編集を行う際、第２圧縮画像データに対して編集などの操作を行う編集処理アルゴリズムを、第１圧縮画像データに対する従来の編集処理アルゴリズムと共用化できる。よって、新たに高解像度画像用の編集処理アルゴリズムを実装する必要がないので、再生編集装置の実装の手間を減少できる。
【００４７】
また、前記第１圧縮画像データと前記第２圧縮画像データとは、階層符号化により生成されてもよい。
【００４８】
この構成によれば、第２圧縮画像データの圧縮効率を高めることができる。
また、本発明に係る画像記録方法は、第１フレームレートよりも高い第２フレームレートで高速撮影画像を撮影し、ファイルシステムで初期化された着脱可能な記録媒体に当該高速撮影画像を記録する画像記録装置における画像記録方法であって、入射された光信号を電気信号に変換する変換ステップと、前記変換された電気信号から、前記第２フレームレートの高速撮影画像信号を生成する画像信号処理ステップと、前記高速撮影画像信号に含まれるフレームのうち前記第１フレームレートに相当するフレームを圧縮して第１圧縮画像データを生成する第１圧縮ステップと、前記高速撮影画像信号に含まれるフレームのうち前記第１フレームレートに相当するフレーム以外のフレームを圧縮して第２圧縮画像データを生成する第２圧縮ステップと、前記第１圧縮画像データ及び前記第２圧縮画像データを前記記録媒体に記録する記録ステップとを含み、前記記録ステップでは、前記ファイルシステムにおけるディレクトリ構成の最上位階層に従来互換フォルダと、高速撮影用フォルダとを形成し、前記第１圧縮画像データと、前記第１圧縮画像データを再生するための第１制御情報とを前記従来互換フォルダに関連付けて記録し、前記第２圧縮画像データを前記高速撮影用フォルダに関連付けて記録する。
【００４９】
これによれば、第１フレームレートの画像データが従来互換フォルダに記録され、第２フレームレートの画像データのうち、第１フレームレートに相当するフレーム以外の画像データが高速撮影用フォルダに記録される。これにより、高速撮影画像に対応していない従来規格の画像再生装置が、本発明に係る画像記録方法により高速撮影画像が記録された記録媒体を再生する場合、従来規格の画像再生装置は、従来互換フォルダに含まれる画像データを再生することで第１フレームレートの画像を再生できる。よって、本発明に係る画像記録方法は、従来規格の画像再生装置との互換性を確保できる。
【００５０】
さらに、高速撮影画像に対応した画像再生装置が、本発明に係る画像記録方法により高速撮影画像が記録された記録媒体を再生する場合、従来互換フォルダ及び高速撮影用フォルダに記録された第１圧縮画像データ及び第２圧縮画像データをそれぞれ伸張し、合成することで、高速撮影画像を復元し、再生できる。
【００５１】
さらに、本発明に係る画像記録方法は、１つの記録媒体に形成されたファイルシステム内に、従来規格に対応した画像データと、高速撮影画像を再生するための補助データとを記録する。よって、本発明に係る画像記録方法により記録された高速撮影画像は、複数の記録媒体に従来規格に対応した画像データと、高速撮影画像を再生するための補助データとが分割して記録された高速撮影画像に比べ、管理が容易である。つまり、本発明に係る画像記録方法は、管理が容易な高速撮影画像を記録できる。
【００５２】
なお、本発明は、このような画像記録装置及び画像再生装置として実現できるだけでなく、画像記録装置及び画像再生装置に含まれる特徴的な手段をステップとする画像記録方法及び画像再生方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。
【発明の効果】
【００５３】
以上より、本発明は、従来規格の画像再生装置との互換性を確保でき、かつ管理が容易な高速撮影画像又は高解像度画像を記録できる画像記録装置と、従来規格の画像再生装置との互換性を確保でき、かつ管理が容易な高速撮影画像又は高解像度画像が記録された記録媒体と、当該記録媒体に記録された高速撮影画像又は高解像度画像を再生する画像再生装置とを提供できる。
【発明を実施するための最良の形態】
【００５４】
以下、本発明に係る画像記録再生装置の実施の形態について、図面を参照しながら詳細に説明する。
【００５５】
（実施の形態１）
本発明の実施の形態１に係る画像記録再生装置は、高速撮影画像のうち、毎秒３０フレームのフレームレートに相当する画像を従来規格と互換性を有する構成のフォルダに記録し、それ以外の画像を別のフォルダに記録する。これにより、本発明の実施の形態１に係る画像記録再生装置は、従来規格の画像再生装置との互換性を確保でき、かつ管理が容易な高速撮影画像を記録できる。
【００５６】
まず、本発明の実施の形態１に係る画像記録再生装置の構成を説明する。
図１は、本発明の実施の形態１に係る画像記録再生装置の外観を示す斜視図である。図１に示すように、画像記録再生装置１００は、例えば、デジタルビデオカメラである。画像記録再生装置１００は、撮影した高速撮影画像を記録媒体２００に記録する画像記録装置としての機能を有する。また、画像記録再生装置１００は、記録媒体２００に記録されている高速撮影画像を再生する画像再生装置としての機能を有する。
【００５７】
記録媒体２００は、画像記録再生装置１００に着脱可能な記録媒体であり、例えば、半導体メモリ又は光ディスク等である。記録媒体２００は、少なくとも１つのファイルシステムで初期化されている。
【００５８】
また、画像記録再生装置１００は、毎秒３０フレームのフレームレートで被写体を撮影する通常撮影モードと、毎秒３００フィールドのフレームレートで被写体を撮影する高速撮影モードとを切り替え可能である。また、画像記録再生装置１００は、高速撮影モードで撮像された画像データのうち毎秒３０フレームのフレームレートに対応する画像データのみを再生する通常再生モードと、高速撮影モードで撮像された画像データをスロー再生する高速再生モードとを切り替え可能である。また、画像記録再生装置１００は、通常撮影モードで撮影された画像データを毎秒３０フレームのフレームレートで再生することもできる。
【００５９】
図２は、本発明の実施の形態１に係る画像記録再生装置１００のハードウェア構成を示す図である。図２に示すように、画像記録再生装置１００は、レンズ群１０１と、撮像部１０２と、Ａ／Ｄ変換部１０３と、画像信号処理部１０４と、第１圧縮多重部１０５と、記録処理部１０６と、第２圧縮多重部１０７と、記録制御部１０８と、入力部１０９と、制御部１１０と、画像生成部１１１と、表示部１１２と、画像信号処理部１１３と、第１分離伸張部１１４と、再生処理部１１５と、第２分離伸張部１１６とを備える。
【００６０】
レンズ群１０１は、複数の光学レンズから構成される。レンズ群１０１は、光を撮像部１０２に集光する。
【００６１】
撮像部１０２は、撮像素子などから構成され、レンズ群１０１を介して入力された光を撮像する。具体的には、撮像部１０２は、入力された光信号をアナログ信号（電気信号）に変換して、当該アナログ信号をＡ／Ｄ変換部１０３に出力する。
【００６２】
Ａ／Ｄ変換部１０３は、撮像部１０２から出力されたアナログ信号をデジタル信号に変換する。Ａ／Ｄ変換部１０３は、変換したデジタル信号を画像信号処理部１０４に出力する。
【００６３】
画像信号処理部１０４は、Ａ／Ｄ変換部１０３から出力されたデジタル信号に対してノイズ除去及び画質調整などの画像信号処理を施し画像信号を生成する。通常撮影モードの場合、画像信号処理部１０４は、デジタル信号に画像信号処理を施すことで毎秒３０フレームの通常撮影画像信号を生成し、第１圧縮多重部１０５に出力する。また、高速撮影モードの場合、画像信号処理部１０４は、デジタル信号に画像信号処理を施すことで毎秒３００フィールドの高速撮影画像信号を生成する。画像信号処理部１０４は、高速撮影画像信号のうち、毎秒３０フレームに相当するフレームの画像信号を第１圧縮多重部１０５に、その他のフレームの画像信号を第２圧縮多重部１０７に出力する。
【００６４】
第１圧縮多重部１０５は、画像信号処理部１０４から出力された毎秒３０フレームの画像信号を、ＭＰＥＧ−２又はＨ．２６４などの符号化方法に基づいて、圧縮して多重する。第１圧縮多重部１０５は、多重して得られた圧縮画像データを通常コンテンツとして記録処理部１０６に出力する。
【００６５】
第２圧縮多重部１０７は、画像信号処理部１０４から出力された毎秒３０フレームに相当するフレーム以外のフレームの画像信号を、ＭＰＥＧ−２又はＨ．２６４などの符号化方法に基づいて、圧縮して多重する。第２圧縮多重部１０７は、多重して得られた圧縮画像データを高速画像補助データとして記録処理部１０６に出力する。
【００６６】
記録処理部１０６は、第１圧縮多重部１０５から出力された通常コンテンツ、及び第２圧縮多重部１０７から出力された高速画像補助データを記録媒体２００に記録する。
【００６７】
記録制御部１０８は、記録媒体２００を駆動するドライブ装置、又は、記録アドレス入力手順などの記録プロトコルを制御する。
【００６８】
入力部１０９は、入力デバイスを介してユーザ操作を受け付ける。入力部１０９は、受け付けたユーザ操作を操作情報として制御部１１０に出力する。
【００６９】
制御部１１０は、画像信号処理部１０４、第１圧縮多重部１０５、記録処理部１０６、第２圧縮多重部１０７、記録制御部１０８、画像生成部１１１、画像信号処理部１１３、第１分離伸張部１１４、再生処理部１１５、及び第２分離伸張部１１６を制御することで、画像記録再生装置１００における記録処理、及び再生処理を実行する。
【００７０】
画像生成部１１１は、記録媒体２００に記録されているコンテンツの一覧を示すメニュー画像を生成する。
【００７１】
再生処理部１１５は、再生対象の通常コンテンツを記録媒体２００から読み出し、第１分離伸張部１１４に出力する。また、再生処理部１１５は、再生対象の通常コンテンツに関連した高速画像補助データを記録媒体２００から読み出し、第２分離伸張部１１６に出力する。
【００７２】
第１分離伸張部１１４は、再生処理部１１５から出力された通常コンテンツを、第１圧縮多重部１０５が施したＭＰＥＧ−２又はＨ．２６４などの符号化方法に基づいて、分離して伸張する。第１分離伸張部１１４は、伸張して得られた伸張後通常コンテンツを画像信号処理部１１３に出力する。
【００７３】
第２分離伸張部１１６は、再生処理部１１５から出力された高速画像補助データを、第２圧縮多重部１０７が施したＭＰＥＧ−２及びＨ．２６４などの符号化方法に基づいて、分離して伸張する。第２分離伸張部１１６は、伸張して得られた伸張後高速画像補助データを画像信号処理部１１３に出力する。
【００７４】
通常再生モードが指定されている場合、画像信号処理部１１３は、第１分離伸張部１１４から出力された伸張後通常コンテンツに表示用の画質調整などの処理を施し、通常再生画像を生成する。画像信号処理部１１３は、生成した通常再生画像を表示部１１２に出力する。
【００７５】
高速再生モードが指定されており、かつ第２分離伸張部１１６から高速画像補助データが得られる場合、画像信号処理部１１３は、伸張後通常コンテンツと伸張後高速画像補助データとを合成することで滑らかなスロー再生画像を生成し、表示部１１２に出力する。
【００７６】
また、画像信号処理部１１３は、必要に応じて画像生成部１１１が生成したメニュー画像などをそのまま、又は第１分離伸張部１１４から出力された通常再生画像に多重して、画像信号として表示部１１２に出力する。
【００７７】
表示部１１２は、画像信号処理部１１３から出力された通常再生画像、スロー再生画像、メニュー画像、又はメニュー画像を含む画像信号を再生し、再生した画像をモニタなどに表示する。
【００７８】
図３は、画像信号処理部１０４、第１圧縮多重部１０５及び第２圧縮多重部１０７の構成を示すブロック図である。
【００７９】
画像信号処理部１０４は、信号処理部１５０と、フレーム振り分け部１５１とを備える。
【００８０】
信号処理部１５０は、Ａ／Ｄ変換部１０３により出力されたデジタル信号に対して、ノイズ除去及び画質調整などの画像信号処理を施して毎秒３００フレームの画像信号を生成し、生成した画像信号をフレーム振り分け部１５１に出力する。
【００８１】
フレーム振り分け部１５１は、３００フィールドの画像信号を、毎秒３０フレームに相当するフレームの画像信号と、その他のフレームの画像信号に振り分ける。フレーム振り分け部１５１は、毎秒３０フレームに相当するフレームの画像信号を第１圧縮多重部１０５に出力し、その他のフレームの画像信号を第２圧縮多重部１０７に出力する。
【００８２】
第１圧縮多重部１０５は、動き検出動き補償部１６０と、直交変換量子化部１６１と、可変長符号化部１６２と、多重部１６３とを備える。
【００８３】
動き検出動き補償部１６０は、動き検出結果と参照画像とを用いて予測画像を生成する。動き検出動き補償部１６０は、生成した予測画像と、フレーム振り分け部１５１により出力された毎秒３０フレームに相当するフレームの画像信号との差分である予測誤差を生成する。
【００８４】
直交変換量子化部１６１は、動き検出動き補償部１６０により生成された予測誤差に直交変換及び量子化を施すことで量子化変換係数を生成する。また、直交変換量子化部１６１は、生成した量子化変換係数に再度逆量子化及び逆直交変換を施すことで予測誤差を生成する。
【００８５】
動き検出動き補償部１６０は、直交変換量子化部１６１により生成された予測誤差を用いて参照画像を生成する。
【００８６】
可変長符号化部１６２は、直交変換量子化部１６１により生成された量子化変換係数を可変長符号化することで圧縮符号を生成する。
【００８７】
多重部１６３は、可変長符号化部１６２により生成された圧縮符号をパケット化する。多重部１６３は、パケット化した圧縮符号に、音声パケット等を多重化することで、従来規格に準拠した圧縮画像データを生成する。多重部１６３は、生成した圧縮画像データを通常コンテンツとして記録処理部１０６に出力する。
【００８８】
第２圧縮多重部１０７は、動き検出動き補償部１７０と、直交変換量子化部１７１と、可変長符号化部１７２と、多重部１７３とを備える。
【００８９】
動き検出動き補償部１７０は、動き検出結果と参照画像とを用いて予測画像を生成する。動き検出動き補償部１７０は、生成した予測画像と、フレーム振り分け部１５１により出力された毎秒３０フレームに相当するフレーム以外のフレームの画像信号との差分である予測誤差を生成する。
【００９０】
直交変換量子化部１７１は、動き検出動き補償部１７０により生成された予測誤差に直交変換及び量子化を施すことで量子化変換係数を生成する。また、直交変換量子化部１７１は、生成した量子化変換係数に再度逆量子化及び逆直交変換を施すことで予測誤差を生成する。
【００９１】
動き検出動き補償部１７０は、直交変換量子化部１７１により生成された予測誤差を用いて参照画像を生成する。
【００９２】
可変長符号化部１７２は、直交変換量子化部１７１により生成された量子化変換係数を可変長符号化することで圧縮符号を生成する。
【００９３】
多重部１７３は、可変長符号化部１７２により生成された圧縮符号をパケット化する。多重部１７３は、パケット化した圧縮符号に、音声パケット等を多重化することで、階層符号化された圧縮画像データを生成する。多重部１７３は、生成した圧縮画像データを高速画像補助データとして記録処理部１０６に出力する。
【００９４】
次に、画像記録再生装置１００の動作を説明する。
まず、画像記録再生装置１００による記録動作を説明する。
【００９５】
図４は、画像記録再生装置１００による記録動作の流れを示すフローチャートである。
まず、制御部１１０は、ユーザにより入力部１０９を介して設定された撮影モードを判定する（Ｓ１００）。
【００９６】
撮影モードが高速撮影モードの場合（Ｓ１００でＹｅｓ）、撮像部１０２は、レンズ群１０１を介して入力された光を撮像する（Ｓ１０１）。撮像部１０２は、入力された光信号をアナログ信号に変換する。Ａ／Ｄ変換部１０３は、アナログ信号をデジタル信号に変換する。
【００９７】
次に、画像信号処理部１０４は、Ａ／Ｄ変換部１０３により変換されたデジタル信号にノイズ除去及び画質調整などの画像信号処理を施し画像信号を生成する（Ｓ１０２）。
【００９８】
次に、画像信号処理部１０４は、処理を施した画像信号を、毎秒３０フレームに相当するフレームと、その他のフレームとに分割する（Ｓ１０３）。
【００９９】
図５は、本発明の実施の形態１に係る画像信号処理部１０４、第１圧縮多重部１０５、及び第２圧縮多重部１０７による処理の概要を示す図である。
【０１００】
図５では、レンズ群１０１、撮像部１０２、及びＡ／Ｄ変換部１０３を介して入力された信号から画像信号処理部１０４において毎秒３００フレームのプログレッシブ走査画像（以下３００ｐと略する）、又は毎秒３００フィールドのインタレース走査画像（以下３００ｉと略する）が生成される場合の例を示す。なお、ここでは画像サイズとして１９２０×１０８０のいわゆるフルハイビジョン画像を想定する。
【０１０１】
画像信号処理部１０４の信号処理部１５０は、Ａ／Ｄ変換部１０３から出力されたデジタル信号に対して、ノイズ除去及び画質調整などの画像信号処理を施して３００ｐの画像信号を生成し、生成した３００ｐの画像信号をフレーム振り分け部１５１に出力する。
【０１０２】
フレーム振り分け部１５１は、３００ｐの画像から５フレーム置きに１フレームを取り出す。フレーム振り分け部１５１は、取り出したフレームについて交互に偶数ラインのみ、又は奇数ラインのみを抜き出すことで毎秒６０フィールド（毎秒３０フレーム）のインタレース画像（以下６０ｉと略する）信号を生成する。
【０１０３】
または、フレーム振り分け部１５１は、３００ｉの画像から５フィールド置きに１フィールド分の画像を抜き取ることでも６０ｉ信号を生成できる。
【０１０４】
この６０ｉ信号は、ＢＤ（Ｂｌｕ−ｒａｙ  Ｄｉｓｃ）及びＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）などの従来規格に準拠した映像信号である。よって、第１圧縮多重部１０５で従来規格準拠の圧縮符号化を施し、そのまま通常コンテンツとして、従来規格に対応した記録フォーマットで記録媒体２００に記録することが可能である。
【０１０５】
一方、フレーム振り分け部１５１は、３００ｐの高速撮影画像から上記の６０ｉ信号を抜き出した残り、すなわち５フレーム置きに４フレーム分の画像信号から交互に偶数ラインのみ、又は奇数ラインのみを抜き出すことで毎秒２４０フィールドのインタレース画像（以下２４０ｉと略する）信号を生成する。なお、図５に示すように、この毎秒２４０フィールドは等間隔ではなく変則２４０ｉとなる。または、フレーム振り分け部１５１は、３００ｉの高速撮影画像から上記の６０ｉ信号を抜き出した残り、すなわち５フィールド置きに４フィールドを抜き出すことで変則２４０ｉ信号を得ることができる。
【０１０６】
この変則２４０ｉ信号は従来規格には整合しないが、フレーム又はフィールド間の相関性が残っているため、ＭＰＥＧ−２、又はＨ．２６４などのいわゆるハイブリッド符号化を用いて、第２圧縮多重部１０７で圧縮符号化を施し、高速画像補助データとして独自フォーマットで記録媒体２００に記録することが可能である。
【０１０７】
第１圧縮多重部１０５及び第２圧縮多重部１０７は、画像信号処理部１０４により分割された６０ｉ信号及び２４０ｉ信号を、個別に圧縮及び多重する（Ｓ１０４）。具体的には、第１圧縮多重部１０５は、６０ｉ信号を圧縮及び多重することで、従来規格に準拠した通常コンテンツのデータを生成する。第２圧縮多重部１０７は、２４０ｉ信号を圧縮及び多重することで高速画像補助データを生成する。
【０１０８】
さらに詳細には、動き検出動き補償部１６０は、生成した予測画像と、フレーム振り分け部１５１により出力された６０ｉ信号との差分である予測誤差を生成し、生成した予測誤差を直交変換量子化部１６１に出力する。
【０１０９】
直交変換量子化部１６１は、動き検出動き補償部１６０により出力された予測誤差に直交変換及び量子化を施すことで量子化変換係数を生成し、生成した量子化変換係数を可変長符号化部１６２に出力する。また、直交変換量子化部１６１は、生成した量子化変換係数に再度逆量子化及び逆直交変換を施すことで予測誤差を生成し、生成した予測誤差を動き検出動き補償部１６０に出力する。
【０１１０】
動き検出動き補償部１６０は、直交変換量子化部１６１により出力された予測誤差を用いて参照画像を生成する。
【０１１１】
可変長符号化部１６２は、直交変換量子化部１６１により出力された量子化変換係数を可変長符号化することで圧縮符号を生成し、生成した圧縮符号を多重部１６３に出力する。
【０１１２】
多重部１６３は、可変長符号化部１６２により出力された圧縮符号をパケット化する。多重部１６３は、パケット化した圧縮符号に、音声パケット等を多重化することで、従来規格に準拠した圧縮画像データを生成する。第１圧縮多重部１０５は、多重して得られた圧縮画像データを通常コンテンツとして記録処理部１０６に出力する。
【０１１３】
また、動き検出動き補償部１７０は、生成した予測画像と、フレーム振り分け部１５１により出力された変則２４０ｉ信号との差分である予測誤差を生成し、生成した予測誤差を直交変換量子化部１７１に出力する。
【０１１４】
直交変換量子化部１７１は、動き検出動き補償部１７０により出力された予測誤差に直交変換及び量子化を施すことで量子化変換係数を生成し、生成した量子化変換係数を可変長符号化部１７２に出力する。また、直交変換量子化部１７１は、生成した量子化変換係数に再度逆量子化及び逆直交変換を施すことで予測誤差を生成し、生成した予測誤差を動き検出動き補償部１７０に出力する。
【０１１５】
動き検出動き補償部１７０は、直交変換量子化部１７１により出力された予測誤差を用いて参照画像を生成する。
【０１１６】
可変長符号化部１７２は、直交変換量子化部１７１により出力された量子化変換係数を可変長符号化することで圧縮符号を生成し、生成した圧縮符号を多重部１７３に出力する。
【０１１７】
多重部１７３は、可変長符号化部１７２により出力された圧縮符号をパケット化する。多重部１７３は、パケット化した圧縮符号に、音声パケット等を多重化することで、圧縮画像データを生成する。第２圧縮多重部１０７は、多重して得られた圧縮画像データを高速画像補助データとして記録処理部１０６に出力する。
【０１１８】
なお、第１圧縮多重部１０５及び第２圧縮多重部１０７は、通常コンテンツ及び高速画像補助データを階層符号化により生成してもよい。つまり、第１圧縮多重部１０５及び第２圧縮多重部１０７は、変則２４０ｉ信号を圧縮符号化する際に、６０ｉ信号と独立して個別に圧縮符号化してもよいし、階層符号化を用いて圧縮符号化してもよい。すなわち、第２圧縮多重部１０７は、６０ｉ信号を圧縮符号化した際のローカルデコード画像を用いて、変則２４０ｉ信号の予測画像を生成してもよい。これにより、変則２４０ｉ信号の圧縮効率を高めることができる。
【０１１９】
次に、記録処理部１０６は、第１圧縮多重部１０５により生成された通常コンテンツと、第２圧縮多重部１０７により生成された高速画像補助データとを、記録媒体２００に形成した別のフォルダにそれぞれ記録する（Ｓ１０５）。
【０１２０】
図６は、本発明の実施の形態１に係る記録媒体２００に記録されているファイル構成例を示す図である。
【０１２１】
図６に示すように、記録媒体２００に記録されるファイルシステムの１つにおけるディレクトリ構成の最上位階層に、ＢＤＭＶメインフォルダ２１０と、ＨＩＧＨＲＡＴＥメインフォルダ２２０とが形成される。
【０１２２】
ＢＤＭＶメインフォルダ２１０は、従来互換用のフォルダであり、従来規格に対応した記録フォーマットで通常コンテンツが記録される。ＨＩＧＨＲＡＴＥメインフォルダ２２０は、高速撮影用フォルダであり、独自記録フォーマットで高速画像補助データが記録される。
【０１２３】
ＢＤＭＶメインフォルダ２１０の配下には、インフォファイル２１１（ｉｎｆｏ）と、メニューファイル２１２（ｍｅｎｕ）と、プレイリストフォルダ２１３（ＰＬＡＹＬＩＳＴ）と、クリップインフォフォルダ２１４（ＣＬＩＰＩＮＦ）と、ストリームフォルダ２１５（ＳＴＲＥＡＭ）と、バックアップフォルダ２１６（ＢＡＣＫＵＰ）とが形成される。
【０１２４】
インフォファイル２１１（ｉｎｆｏ）は、ディレクトリ全体の管理情報を含む。メニューファイル２１２（ｍｅｎｕ）は、メニューを構成する情報を含む。
【０１２５】
プレイリストフォルダ２１３（ＰＬＡＹＬＩＳＴ）の配下に、プレイリストファイル２１７（０１００１．ｐｌｓｔ）が格納される。プレイリストファイル２１７（０１００１．ｐｌｓｔ）は、通常コンテンツを再生するための情報を含む。具体的には、プレイリストファイル２１７は、コンテンツの再生順序に関する情報を含む。また、プレイリストファイル２１７は、クリップインフォファイル２１８を指定する情報と、再生時間とを含む。
【０１２６】
クリップインフォフォルダ２１４（ＣＬＩＰＩＮＦ）の配下に、クリップインフォファイル２１８（０１０００．ｃｌｐｉ）が格納される。クリップインフォファイル２１８（０１０００．ｃｌｐｉ）は、通常コンテンツを再生するための情報を含む。具体的には、クリップインフォファイル２１８は、時間情報と画像データ（ストリームファイル２１９）の位置との対応を示す。また、クリップインフォファイル２１８は、対応する画像データの部分再生及び特殊再生を実現するためのタイムテーブルを含む。また、クリップインフォファイル２１８は、対応する画像データの画像サイズ、及び圧縮方法等の情報を含む。
【０１２７】
ストリームフォルダ２１５（ＳＴＲＥＡＭ）の配下に、ストリームファイル２１９（０１０００．ｍ２ｔｓ）が格納される。ストリームファイル２１９（０１０００．ｍ２ｔｓ）は、ＡＶデータファイルを含む。
【０１２８】
バックアップフォルダ２１６（ＢＡＣＫＵＰ）には、例えば編集作業途中の、インフォファイル２１１（ｉｎｆｏ）、メニューファイル２１２（ｍｅｎｕ）、プレイリストフォルダ２１３（ＰＬＡＹＬＩＳＴ）、及びクリップインフォフォルダ２１４（ＣＬＩＰＩＮＦ）のコピーが保存される。これにより、編集途中での電源断等によって通常コンテンツが再生不可能な状態になることを防ぐことができる。
【０１２９】
ＨＩＧＨＲＡＴＥメインフォルダ２２０の配下には、プレイリストフォルダ２２３（ＥＸＴＰＬＡＹＬＩＳＴ）と、クリップインフォフォルダ２２４（ＥＸＴＣＬＩＰＩＮＦ）と、ストリームフォルダ２２５（ＥＸＴＳＴＲＥＡＭ）と、バックアップフォルダ２２６（ＢＡＣＫＵＰ）とが形成される。
【０１３０】
プレイリストフォルダ２２３（ＥＸＴＰＬＡＹＬＩＳＴ）の配下に、プレイリストファイル２２７（０１００１．ｐｌｓｅ）が格納される。プレイリストファイル２２７（０１００１．ｐｌｓｅ）は、高速画像補助データを再生するための情報を含む。具体的には、プレイリストファイル２２７は、高速画像補助データに関する画像フレーム又はフィールドの再生順序に関する情報を含む。また、プレイリストファイル２２７は、クリップインフォファイル２２８を指定する情報と、再生時間とを含む。
【０１３１】
クリップインフォフォルダ２２４（ＥＸＴＣＬＩＰＩＮＦ）の配下に、クリップインフォファイル２２８（０１０００．ｃｌｐｅ）が格納される。クリップインフォファイル２２８（０１０００．ｃｌｐｅ）は、高速画像補助データを再生するための情報を含む。具体的には、クリップインフォファイル２２８は、時間情報と画像データ（ストリームファイル２２９）の位置との対応を示す。また、クリップインフォファイル２２８は、対応する画像データの部分再生及び特殊再生を実現するためのタイムテーブルを含む。また、クリップインフォファイル２２８は、対応する画像データの画像サイズ、及び圧縮方法等の情報を含む。
【０１３２】
ストリームフォルダ２２５（ＥＸＴＳＴＲＥＡＭ）の配下に、ストリームファイル２２９（０１０００．ｍ２ｔｅ）が格納される。ストリームファイル２２９（０１０００．ｍ２ｔｅ）は、高速画像補助データファイルを含む。
【０１３３】
バックアップフォルダ２２６（ＢＡＣＫＵＰ）には、例えば編集作業途中の、プレイリストフォルダ２２３（ＰＬＡＹＬＩＳＴ）、及びクリップインフォフォルダ２２４（ＣＬＩＰＩＮＦ）のコピーが保存される。
【０１３４】
また、ＢＤＭＶメインフォルダ２１０とＨＩＧＨＲＡＴＥメインフォルダ２２０とは、下位に含まれるフォルダ階層の構成が同じである。
【０１３５】
以上のように、画像記録再生装置１００は、高速撮影モード時には、毎秒３００フィールドの画像データのうち、従来規格に準拠した毎秒３０フレームに相当する画像データをＢＤＭＶメインフォルダ２１０以下に記録し、毎秒３０フレームに相当する画像データ以外の画像データをＨＩＧＨＲＡＴＥメインフォルダ２２０以下に記録する。
【０１３６】
一方、撮影モードが通常撮影モードの場合（Ｓ１００でＮｏ）、撮像部１０２は、レンズ群１０１を介して入力された光を撮像する（Ｓ１１１）。撮像部１０２は、入力された光信号をアナログ信号に変換する。Ａ／Ｄ変換部１０３は、アナログ信号をデジタル信号に変換する。
【０１３７】
次に、画像信号処理部１０４は、Ａ／Ｄ変換部１０３により変換されたデジタル信号にノイズ除去及び画質調整などの画像信号処理を施し画像信号（６０ｉ信号）を生成する（Ｓ１１２）。
【０１３８】
次に、第１圧縮多重部１０５は、画像信号処理部１０４により生成された６０ｉ信号を、圧縮及び多重することで、従来規格に準拠した通常コンテンツのデータを生成する（Ｓ１１３）。
【０１３９】
次に、記録処理部１０６は、第１圧縮多重部１０５により生成された通常コンテンツを、記録媒体２００に形成したＢＤＭＶメインフォルダ２１０に記録する（Ｓ１１４）。
【０１４０】
以上のように、画像記録再生装置１００は、通常撮影モード時には、従来規格に準拠した毎秒３０フレームに相当する画像データを、ＢＤＭＶメインフォルダ２１０以下に記録する。
【０１４１】
なお、上述した画像信号処理部１０４、第１圧縮多重部１０５、第２圧縮多重部１０７及び記録処理部１０６による処理は、制御部１１０の制御により行われる。また、記録処理部１０６による記録媒体２００へのデータの記録時における、ディスク位置等の制御は、記録制御部１０８により行われる。
【０１４２】
次に、画像記録再生装置１００による再生動作を説明する。
図７は、画像記録再生装置１００による再生動作の流れを示すフローチャートである。
【０１４３】
まず、制御部１１０は、ユーザにより入力部１０９を介して設定された再生モードを判定する（Ｓ２００）。
【０１４４】
再生モードが通常再生モードの場合（Ｓ２００でＮｏ）、再生処理部１１５は、再生対象の通常コンテンツを記録媒体２００から読み出す（Ｓ２１１）。
【０１４５】
図８は、図６のファイル構成におけるＢＤＭＶメインフォルダ２１０以下のファイルの関係を説明する図である。
【０１４６】
通常再生モードの場合、制御部１１０は、再生制御にあたって、プレイリストファイル２１７、クリップインフォファイル２１８、及びストリームファイル２１９の３種類のファイルを使用する。
【０１４７】
プレイリストファイル２１７は、クリップインフォファイル２１８を指定する情報と、再生時間とを含む。再生処理部１１５は、再生対象のプレイリストファイル２１７に含まれるクリップインフォファイル２１８を順次参照する。再生処理部１１５は、クリップインフォファイル２１８に含まれるタイムテーブルで指定されたストリームファイル２１９を読み出す。
【０１４８】
例えば、プレイリストファイル２１７（０１００１．ｐｌｓｔ）には、クリップ（＃１）、及びクリップ（＃２）などが含まれ、クリップ（＃１）、及びクリップ（＃２）の順に再生されることが示される。再生処理部１１５は、クリップ（＃１）については、クリップインフォファイル２１８（０１０００．ｃｌｐｉ）によって対応付けられているストリームファイル２１９（０１０００．ｍ２ｔｓ）を読み出す。再生処理部１１５は、クリップ（＃２）については、クリップインフォファイル２１８（０２０００．ｃｌｐｉ）によって対応付けられているストリームファイル２１９（０２０００．ｍ２ｔｓ）を読み出す。
【０１４９】
第１分離伸張部１１４は、再生処理部１１５により読み出された通常コンテンツを、分離して伸張する（Ｓ２１２）。
【０１５０】
画像信号処理部１１３は、第１分離伸張部１１４から出力された伸張後通常コンテンツに表示用画質調整などの画像信号処理を施し、通常再生画像を生成する（Ｓ２１３）。
【０１５１】
表示部１１２は、画像信号処理部１１３により生成された通常再生画像を再生し、再生した画像をモニタなどに表示する（Ｓ２１４）。
【０１５２】
以上のように、画像記録再生装置１００は、通常再生モード時には、従来規格に準拠した毎秒３０フレームに相当する画像データをＢＤＭＶメインフォルダ２１０から読み出し、再生する。
【０１５３】
また、ＢＤＭＶメインフォルダ２１０以下のファイル構成は、従来規格のフォルダ構造と同様である。これにより、高速撮影に対応していない従来規格準拠の画像再生装置が、記録媒体２００を再生した場合でも、毎秒３０フレーム相当の画像を再生することができる。さらに、従来規格準拠の画像再生装置でも、プレイリスト編集などの機能を従来通りに使用できる。
【０１５４】
一方、再生モードが高速再生モードの場合（Ｓ２００でＹｅｓ）、制御部１１０は、再生対象の通常コンテンツに対応する高速画像補助データが記録媒体２００に記録されているか否かを判定する（Ｓ２０１）。
【０１５５】
図９は、図６のファイル構成におけるＢＤＭＶメインフォルダ２１０以下のファイルとＨＩＧＨＲＡＴＥメインフォルダ２２０以下のファイルとの関係を説明する図である。
【０１５６】
高速再生モードの場合、制御部１１０は、ＢＤＭＶメインフォルダ２１０以下のプレイリストファイル２１７に加えて、ＨＩＧＨＲＡＴＥメインフォルダ２２０以下のプレイリストファイル２２７を参照する。
【０１５７】
高速撮影モードの場合、記録処理部１０６は、通常コンテンツの１つのクリップに対応した高速画像補助データをＨＩＧＨＲＡＴＥメインフォルダ２２０に記録する。高速画像補助データのプレイリストファイル２２７には、通常コンテンツに対応して再生時に利用可能な高速画像補助データのクリップインフォファイル２１８と再生時間とが記載されている。なお、プレイリストファイル２２７に記載される再生時間は、高速撮影のフレーム単位まで記載される。
【０１５８】
再生処理部１１５は、まず、通常コンテンツのプレイリストファイル２１７及び高速画像補助データのプレイリストファイル２２７を参照する。
【０１５９】
以下、プレイリストファイル２１７に含まれる最初のクリップ（＃１）を再生する場合を説明する。ここでは、クリップ（＃１）に対応するクリップが高速画像補助データのプレイリストファイル２２７に存在しない。つまり、クリップ（＃１）は、通常撮影モードで記録された画像データ、又は高速撮影に対応していない従来規格の画像記録装置により記録された画像データである。
【０１６０】
高速画像補助データが記録されていないので（Ｓ２０１でＮｏ）、画像記録再生装置１００は、通常再生モードと同様の処理（Ｓ２１１〜Ｓ２１４）を行う。なお、記録媒体２００に対応する高速画像補助データが記録されていない場合（Ｓ２０１でＮｏ）、制御部１１０は、ユーザにエラーの内容等を表示し、再生処理を終了してもよい。また、画像記録再生装置１００は、通常コンテンツを通常のフレーム間隔でスロー再生してもよい。
【０１６１】
続いて、クリップ（＃２）を再生する処理を説明する。クリップ（＃２）に対応するクリップ（＃１１）が高速画像補助データのプレイリストファイル２２７に存在する。つまり、クリップ（＃２）は、高速撮影モードで記録された画像データである。
【０１６２】
高速画像補助データが記録されているので（Ｓ２０１でＹｅｓ）、再生処理部１１５は、再生対象の通常コンテンツと、当該通常コンテンツに関連した高速画像補助データとを記録媒体２００から読み出す（Ｓ２０２）。具体的には、再生処理部１１５は、クリップインフォファイル２２８（０２０００．ｃｌｐｅ）によって対応付けられている高速画像補助データのストリームファイル２２９（０２０００．ｍ２ｔｅ）を読み出す。また、再生処理部１１５は、クリップインフォファイル２１８（０２０００．ｃｌｐｉ）によって対応付けられている通常コンテンツのストリームファイル２１９（０２０００．ｍ２ｔｓ）を読み出す。
【０１６３】
次に、第１分離伸張部１１４は、再生処理部１１５により読み出された通常コンテンツを分離及び伸張し、第２分離伸張部１１６は、再生処理部１１５により読み出された高速画像補助データを分離及び伸張する（Ｓ２０３）。
【０１６４】
次に、画像信号処理部１１３は、伸張後通常コンテンツと伸張後高速画像補助データとを合成することで、毎秒３００フィールドの画像信号を復元する。画像信号処理部１１３は、復元した毎秒３００フィールドの画像信号から、滑らかなスロー再生画像を生成する（Ｓ２０４）。
【０１６５】
表示部１１２は、画像信号処理部１１３により生成されたスロー再生画像を再生し、再生した画像をモニタなどに表示する（Ｓ２０５）。
【０１６６】
以上のように、画像記録再生装置１００は、高速再生モード時には、従来規格に準拠した毎秒３０フレームに相当する画像データをＢＤＭＶメインフォルダ２１０から読み出し、高速画像補助データをＨＩＧＨＲＡＴＥメインフォルダ２２０から読み出す。画像記録再生装置１００は、読み出した毎秒３０フレームに相当する画像データと高速画像補助データとを用いて、高速画像を復元し再生する。
【０１６７】
なお、上述した再生処理部１１５、第１分離伸張部１１４、第２分離伸張部１１６及び画像信号処理部１１３による処理は、制御部１１０の制御により行われる。
【０１６８】
以上、本発明の実施の形態１に係る画像記録再生装置１００によれば、高速撮影した画像を記録媒体２００に記録でき、かつ滑らかなスロー再生画像を再生できる。
【０１６９】
また、画像記録再生装置１００で記録した記録媒体２００を、高速再生画像の再生に対応していない従来規格に準拠した画像再生装置に装着して再生した場合には、当該画像再生装置は、毎秒３０フレーム相当の画像を再生できる。また、当該画像再生装置は、画面縮小及び画面分割多重されていない画像を再生できる。すなわち、画像記録再生装置１００は、従来規格の画像再生装置との互換性を確保できる。
【０１７０】
また、画像記録再生装置１００は、記録媒体２００の１つのファイルシステム内に、従来規格に対応した画像データと、高速画像補助データとを記録する。よって、画像記録再生装置１００により記録された高速撮影画像は、複数の記録媒体に従来規格に対応した画像データと高速画像補助データとが分割して記録された高速撮影画像に比べ、管理が容易である。つまり、画像記録再生装置１００は、管理が容易な高速撮影画像を記録できる。
【０１７１】
また、画像記録再生装置１００は、ＨＩＧＨＲＡＴＥメインフォルダ２２０のフォルダ構成をＢＤＭＶメインフォルダ２１０のフォルダ構成にあわせて形成する。これにより、通常コンテンツと高速画像補助データとの対応をとりやすくできる。さらに、プレイリストファイル２１７及び２２７からクリップインフォファイル２１８及び２２８を介してストリームファイル２１９及び２２９を指定し再生する処理が通常コンテンツ用と高速画像補助データ用とで共用化可能となるので、制御部１１０の実装を簡略化することができる。
【０１７２】
さらに、ＨＩＧＨＲＡＴＥメインフォルダ２２０にもＢＤＭＶメインフォルダ２１０と同様のバックアップフォルダ２２６を設けておくことで、編集時にＢＡＣＫＵＰフォルダを運用するためのファイル運用手順を通常コンテンツと高速画像補助データとで共用化できる。
【０１７３】
以上、本発明の実施の形態１に係る画像記録再生装置１００について説明したが、本発明は、この実施の形態に限定されるものではない。
【０１７４】
例えば、上記説明では、通常コンテンツの１つのメインフォルダに対して、高速画像補助データの１つのメインフォルダが対応するものとして説明したが、高速画像補助データが複数に分割されていてもよく、それらが複数のメインフォルダに分かれて記録されていてもよい。
【０１７５】
また、上記説明では、従来規格の画像として毎秒３０フレームのフレームレートの画像を例に説明したが、従来規格の画像は毎秒３０フレームのフレームレート以外であってもよい。例えば、従来規格の画像は毎秒６０フレームのフレームレートの画像であってもよい。
【０１７６】
また、上記説明では、高速撮影画像は毎秒３００フィールドのフレームレートとしたが、高速撮影画像のフレームレートは、これに限定されるものではなく、従来規格のフレームレートより高いフレームレートであればよい。
【０１７７】
また、上記説明では、図７において画像記録再生装置１００は、高速再生モードであるか否かを判定（Ｓ２００）した後に、高速画像補助データが存在するか否かを判定（Ｓ２０１）するとしたが、高速画像補助データが存在するか否かを判定（Ｓ２０１）した後に、高速再生モードであるか否かを判定（Ｓ２００）してもよい。さらに、画像記録再生装置１００は、所定の時間毎に、高速再生モードであるか否かの判定（Ｓ２００）を行ってもよい。
【０１７８】
また、上記説明では、図６に示すフォルダ構成を示したが、毎秒３０フレーム相当の画像と、それ以外の画像とが別のフォルダに格納されればよく、本発明はこれに限定されるものではない。つまり、プレイリストファイル２１７、クリップインフォファイル２１８及びストリームファイル２１９は、ＢＤＭＶメインフォルダ２１０、又はＢＤＭＶメインフォルダ２１０の下位に階層的に形成したフォルダに記録されればよい。プレイリストファイル２２７、クリップインフォファイル２２８及びストリームファイル２２９は、ＨＩＧＨＲＡＴＥメインフォルダ２２０、又はＨＩＧＨＲＡＴＥメインフォルダ２２０の下位に階層的に形成したフォルダに記録されればよい。
【０１７９】
また、プレイリストファイル２１７、クリップインフォファイル２１８及びストリームファイル２１９に含まれる情報の実体が、ＢＤＭＶメインフォルダ２１０内に格納される必要はなく、プレイリストファイル２１７、クリップインフォファイル２１８及びストリームファイル２１９に含まれる情報の実体を特定する情報のみがＢＤＭＶメインフォルダ２１０内に格納されてもよい。すなわち、プレイリストファイル２１７、クリップインフォファイル２１８及びストリームファイル２１９は、ＢＤＭＶメインフォルダ２１０に関連付けて記録されればよい。
【０１８０】
同様に、プレイリストファイル２２７、クリップインフォファイル２２８及びストリームファイル２２９に含まれる情報の実体が、ＨＩＧＨＲＡＴＥメインフォルダ２２０内に格納される必要はなく、プレイリストファイル２２７、クリップインフォファイル２２８及びストリームファイル２２９に含まれる情報の実体を特定する情報のみがＨＩＧＨＲＡＴＥメインフォルダ２２０内に格納されてもよい。すなわち、プレイリストファイル２２７、クリップインフォファイル２２８及びストリームファイル２２９は、ＨＩＧＨＲＡＴＥメインフォルダ２２０に関連付けて記録されればよい。
【０１８１】
（実施の形態２）
本発明の実施の形態２に係る画像記録再生装置は、実施の形態１に係る画像記録再生装置１００の変形例である。本発明の実施の形態２では、従来規格の画像再生装置との互換性を確保でき、かつ管理が容易であるという本発明の特徴を変更せずに、高解像度画像に対応する画像記録再生装置について説明する。
【０１８２】
実施の形態２に係る画像記録再生装置１００は、通常解像度で被写体を撮影する通常撮影モードと、通常解像度より高い高解像度で被写体を撮影する高解像度撮影モードとを切り替え可能である。また、実施の形態２に係る画像記録再生装置１００は、高解像度撮影モードで撮像された画像データを通常解像度で再生する通常再生モードと、高解像度撮影モードで撮像された画像データを高解像度で再生する高解像度再生モードとを切り替え可能である。また、画像記録再生装置１００は、通常撮影モードで撮影された画像データを通常解像で再生することもできる。例えば、通常解像度は１９２０×１０８０であり、高解像度は４０９６×２１６０又は３８４０×２１６０である。
【０１８３】
図１０は、本発明の実施の形態２に係る画像信号処理部１０４、第１圧縮多重部１０５及び第２圧縮多重部１０７の構成を示すブロック図である。
【０１８４】
画像信号処理部１０４は、Ａ／Ｄ変換部１０３から出力されたデジタル信号に対して画像信号処理を施すことで、通常解像度の通常解像度画像信号及び高解像度の高解像度画像信号を生成する。
【０１８５】
通常撮影モードの場合、画像信号処理部１０４は、デジタル信号に画像信号処理を施すことで通常解像度画像信号を生成し、生成した通常解像度画像信号を第１圧縮多重部１０５に出力する。
【０１８６】
高解像度撮影モードの場合、画像信号処理部１０４は、デジタル信号に画像信号処理を施すことで高解像度画像信号を生成し、生成した高解像度画像信号を第２圧縮多重部１０７に出力する。また、画像信号処理部１０４は、生成した高解像度画像信号の解像度を通常解像度に変換することで通常解像度画像信号を生成し、生成した通常解像度画像信号を第１圧縮多重部１０５に出力する。
【０１８７】
画像信号処理部１０４は、高解像度信号処理部１５２と、ＬＰＦ部１５３と、ダウンサンプル部１５４とを備える。
【０１８８】
高解像度信号処理部１５２は、Ａ／Ｄ変換部１０３により出力されたデジタル信号に対して、ノイズ除去及び画質調整などの画像信号処理を施すことで高解像度画像信号を生成し、生成した高解像度画像信号を第２圧縮多重部１０７及びＬＰＦ部１５３に出力する。
【０１８９】
ＬＰＦ部１５３は、高解像度画像信号にローパスフィルタ処理を行い、ローパスフィルタ処理を行った高解像度画像信号をダウンサンプル部１５４に出力する。
【０１９０】
ダウンサンプル部１５４は、ＬＰＦ部１５３により出力された高解像度画像信号にサンプル間引きを施すことで通常解像度画像信号を生成し、生成した通常解像度画像信号を第１圧縮多重部１０５に出力する。
【０１９１】
第１圧縮多重部１０５は、画像信号処理部１０４から出力された通常解像度画像信号を、ＭＰＥＧ−２又はＨ．２６４などの符号化方法に基づいて、圧縮して多重する。第１圧縮多重部１０５は、多重して得られた圧縮画像データを通常コンテンツとして記録処理部１０６に出力する。
【０１９２】
第１圧縮多重部１０５は、動き検出動き補償部１６０と、直交変換量子化部１６１と、可変長符号化部１６２と、多重部１６３とを備える。
【０１９３】
動き検出動き補償部１６０は、動き検出結果と参照画像とを用いて予測画像を生成する。動き検出動き補償部１６０は、生成した予測画像と、画像信号処理部１０４により出力された通常解像度画像信号との差分である予測誤差を生成し、生成した予測誤差を直交変換量子化部１６１に出力する。
【０１９４】
また、動き検出動き補償部１６０は、直交変換量子化部１６１により生成された予測誤差を用いて参照画像を生成し、生成した参照画像をアップサンプル部１７４に出力する。
【０１９５】
なお、直交変換量子化部１６１、可変長符号化部１６２、多重部１６３の構成は、実施の形態１と同様である。
【０１９６】
第２圧縮多重部１０７は、画像信号処理部１０４から出力された高解像度画像信号を、ＭＰＥＧ−２又はＨ．２６４などの符号化方法に基づいて、圧縮して多重する。第２圧縮多重部１０７は、多重して得られた圧縮画像データを高解像度データとして記録処理部１０６に出力する。
【０１９７】
第２圧縮多重部１０７は、画像信号処理部１０４により出力された高解像度画像信号に対し、第１圧縮多重部１０５により出力される参照画像を用いて階層符号化を施す。
【０１９８】
第２圧縮多重部１０７は、動き検出動き補償部１７０と、直交変換量子化部１７１と、可変長符号化部１７２と、多重部１７３と、アップサンプル部１７４とを備える。
【０１９９】
アップサンプル部１７４は、動き検出動き補償部１６０により出力される参照画像をアップサンプルすることで高解像度の階層間予測用参照画像を生成し、生成した階層間予測用参照画像を動き検出動き補償部１７０に出力する。なお、必要に応じて第１圧縮多重部１０５は、当該第１圧縮多重部１０５で用いた圧縮処理パラメータも、アップサンプル部１７４経由で動き検出動き補償部１７０に出力する。ここで、圧縮処理パラメータとは、動き検出動き補償部１６０により検出された動き検出結果などである。
【０２００】
動き検出動き補償部１７０は、動き検出結果と参照画像とを用いて予測画像を生成する。この際、動き検出動き補償部１７０は、高解像度画像信号から検出した動き検出結果と、アップサンプル部１７４により出力された階層間予測用参照画像、及び第１圧縮多重部１０５で用いられた圧縮処理パラメータとを用いて階層符号化を行う。
【０２０１】
動き検出動き補償部１７０は、生成した予測画像と、画像信号処理部１０４により出力された高解像度画像信号との差分である予測誤差を生成し、生成した予測誤差を直交変換量子化部１７１に出力する。
【０２０２】
なお、直交変換量子化部１７１、可変長符号化部１７２、多重部１７３の構成は、実施の形態１と同様である。
【０２０３】
図１１は、第１圧縮多重部１０５及び第２圧縮多重部１０７による予測画像の生成処理を示す図である。
【０２０４】
例えば、画像信号処理部１０４は、高解像度画像信号３１０を元に通常解像度画像信号３００を生成する。このとき、第１圧縮多重部１０５は、通常解像度画像信号３００を圧縮して得られる参照画像及び圧縮処理パラメータを用いて、第２圧縮多重部１０７で用いられる高解像度画像信号３１０の予測画像を生成する。
【０２０５】
記録処理部１０６は、第１圧縮多重部１０５により生成された通常コンテンツと第２圧縮多重部１０７により生成された高解像度データとを、記録媒体２００に形成した別のフォルダにそれぞれ記録する。
【０２０６】
図１２は、本発明の実施の形態２に係る記録媒体２００に記録されているファイル構成例を示す図である。
【０２０７】
図１２に示すように、記録媒体２００に記録されるファイルシステムの１つにおけるディレクトリ構成の最上位階層に、ＢＤＭＶメインフォルダ２１０と、ＨＩＧＨＲＥＳＯメインフォルダ２３０とが形成される。
【０２０８】
ＢＤＭＶメインフォルダ２１０は、従来互換用のフォルダであり、従来規格に対応した記録フォーマットで通常コンテンツが記録される。ＨＩＧＨＲＥＳＯメインフォルダ２３０は、高解像度撮影用フォルダであり、独自記録フォーマットで高解像度データが記録される。
【０２０９】
ＢＤＭＶメインフォルダ２１０の配下には、インフォファイル２１１（ｉｎｆｏ）と、メニューファイル２１２（ｍｅｎｕ）と、プレイリストフォルダ２１３（ＰＬＡＹＬＩＳＴ）と、クリップインフォフォルダ２１４（ＣＬＩＰＩＮＦ）と、ストリームフォルダ２１５（ＳＴＲＥＡＭ）と、バックアップフォルダ２１６（ＢＡＣＫＵＰ）とが形成される。
【０２１０】
インフォファイル２１１（ｉｎｆｏ）は、ディレクトリ全体の管理情報を含む。メニューファイル２１２（ｍｅｎｕ）は、メニューを構成する情報を含む。
【０２１１】
プレイリストフォルダ２１３（ＰＬＡＹＬＩＳＴ）の配下に、プレイリストファイル２１７（０１００１．ｐｌｓｔ）が格納される。プレイリストファイル２１７（０１００１．ｐｌｓｔ）は、通常コンテンツを再生するための情報を含む。具体的には、プレイリストファイル２１７は、コンテンツの再生順序に関する情報を含む。また、プレイリストファイル２１７は、クリップインフォファイル２１８を指定する情報と、再生時間とを含む。
【０２１２】
クリップインフォフォルダ２１４（ＣＬＩＰＩＮＦ）の配下に、クリップインフォファイル２１８（０１０００．ｃｌｐｉ）が格納される。クリップインフォファイル２１８（０１０００．ｃｌｐｉ）は、通常コンテンツを再生するための情報を含む。具体的には、クリップインフォファイル２１８は、時間情報と画像データ（ストリームファイル２１９）の位置との対応を示す。また、クリップインフォファイル２１８は、対応する画像データの部分再生及び特殊再生を実現するためのタイムテーブルを含む。また、クリップインフォファイル２１８は、対応する画像データの画像サイズ、及び圧縮方法等の情報を含む。
【０２１３】
ストリームフォルダ２１５（ＳＴＲＥＡＭ）の配下に、ストリームファイル２１９（０１０００．ｍ２ｔｓ）が格納される。ストリームファイル２１９（０１０００．ｍ２ｔｓ）は、ＡＶデータファイルを含む。
【０２１４】
バックアップフォルダ２１６（ＢＡＣＫＵＰ）には、例えば編集作業途中の、インフォファイル２１１（ｉｎｆｏ）、メニューファイル２１２（ｍｅｎｕ）、プレイリストフォルダ２１３（ＰＬＡＹＬＩＳＴ）、及びクリップインフォフォルダ２１４（ＣＬＩＰＩＮＦ）のコピーが保存される。これにより、編集途中での電源断等によって通常コンテンツが再生不可能な状態になることを防ぐことができる。
【０２１５】
ＨＩＧＨＲＥＳＯメインフォルダ２３０の配下には、プレイリストフォルダ２３３（ＥＸＴＰＬＡＹＬＩＳＴ）と、クリップインフォフォルダ２３４（ＥＸＴＣＬＩＰＩＮＦ）と、ストリームフォルダ２３５（ＥＸＴＳＴＲＥＡＭ）と、バックアップフォルダ２３６（ＢＡＣＫＵＰ）とが形成される。
【０２１６】
プレイリストフォルダ２３３（ＥＸＴＰＬＡＹＬＩＳＴ）の配下に、プレイリストファイル２３７（０１００１．ｐｌｓｅ）が格納される。プレイリストファイル２３７（０１００１．ｐｌｓｅ）は、高解像度データを再生するための情報を含む。具体的には、プレイリストファイル２３７は、高解像度データに関する画像フレーム又はフィールドの再生順序に関する情報を含む。また、プレイリストファイル２３７は、クリップインフォファイル２３８を指定する情報と、再生時間とを含む。
【０２１７】
クリップインフォフォルダ２３４（ＥＸＴＣＬＩＰＩＮＦ）の配下に、クリップインフォファイル２３８（０１０００．ｃｌｐｅ）が格納される。クリップインフォファイル２３８（０１０００．ｃｌｐｅ）は、高解像度データを再生するための情報を含む。具体的には、クリップインフォファイル２３８は、時間情報と画像データ（ストリームファイル２３９）の位置との対応を示す。また、クリップインフォファイル２３８は、対応する画像データの部分再生及び特殊再生を実現するためのタイムテーブルを含む。また、クリップインフォファイル２３８は、対応する画像データの画像サイズ、及び圧縮方法等の情報を含む。
【０２１８】
ストリームフォルダ２３５（ＥＸＴＳＴＲＥＡＭ）の配下に、ストリームファイル２３９（０１０００．ｍ２ｔｅ）が格納される。ストリームファイル２３９（０１０００．ｍ２ｔｅ）は、高解像度データファイルを含む。
【０２１９】
バックアップフォルダ２３６（ＢＡＣＫＵＰ）には、例えば編集作業途中の、プレイリストフォルダ２３３（ＰＬＡＹＬＩＳＴ）、及びクリップインフォフォルダ２３４（ＣＬＩＰＩＮＦ）のコピーが保存される。
【０２２０】
また、ＢＤＭＶメインフォルダ２１０とＨＩＧＨＲＥＳＯメインフォルダ２３０とは、下位に含まれるフォルダ階層の構成が同じである。
【０２２１】
以上のように、実施の形態２に係る画像記録再生装置１００は、高解像度撮影モード時には、従来規格に準拠した１９２０×１０８０の解像度を有する通常コンテンツをＢＤＭＶメインフォルダ２１０以下に記録し、従来規格を超える４０９６×２１６０又は３８４０×２１６０の解像度を有する高解像度データをＨＩＧＨＲＥＳＯメインフォルダ２３０以下に記録する。
【０２２２】
なお、撮影モードが通常撮影モードの場合の動作は実施の形態１と同様であり、説明を省略する。
【０２２３】
また、上述した画像信号処理部１０４、第１圧縮多重部１０５、第２圧縮多重部１０７及び記録処理部１０６による処理は、制御部１１０の制御により行われる。また、記録処理部１０６による記録媒体２００へのデータの記録時における、ディスク位置等の制御は、記録制御部１０８により行われる。
【０２２４】
次に、実施の形態２に係る画像記録再生装置１００による再生動作を説明する。
図１３は、実施の形態２に係る画像記録再生装置１００による再生動作の流れを示すフローチャートである。
【０２２５】
まず、制御部１１０は、ユーザにより入力部１０９を介して設定された再生モードを判定する（Ｓ２２０）。
【０２２６】
再生モードが通常再生モードの場合（Ｓ２２０でＮｏ）の動作は実施の形態１と同様であり、説明を省略する。実施の形態１において説明したように、ＢＤＭＶメインフォルダ２１０以下のファイル構成は、従来規格のフォルダ構造と同様である。これにより、高解像度撮影に対応していない従来規格準拠の画像再生装置が、記録媒体２００を再生した場合でも、１９２０×１０８０の解像度を有する画像を再生することができる。さらに、従来規格準拠の画像再生装置でも、プレイリスト編集などの機能を従来通りに使用できる。
【０２２７】
一方、再生モードが高解像度再生モードの場合（Ｓ２２０でＹｅｓ）、制御部１１０は、再生対象の通常コンテンツに対応する高解像度データが記録媒体２００に記録されているか否かを判定する（Ｓ２２１）。
【０２２８】
図１４は、図１２のファイル構成におけるＢＤＭＶメインフォルダ２１０以下のファイルとＨＩＧＨＲＥＳＯメインフォルダ２３０以下のファイルとの関係を説明する図である。
【０２２９】
高解像度再生モードの場合、制御部１１０は、ＢＤＭＶメインフォルダ２１０以下のプレイリストファイル２１７に加えて、ＨＩＧＨＲＥＳＯメインフォルダ２３０以下のプレイリストファイル２３７を参照する。
【０２３０】
高解像度撮影モードの場合、記録処理部１０６は、通常コンテンツの１つのクリップに対応した高解像度データをＨＩＧＨＲＥＳＯメインフォルダ２３０に記録する。高解像度データのプレイリストファイル２３７には、通常コンテンツに対応して再生時に利用可能な高解像度データのクリップインフォファイル２３８と再生時間とが記載されている。
【０２３１】
再生処理部１１５は、まず、通常コンテンツのプレイリストファイル２１７及び高解像度データのプレイリストファイル２３７を参照する。
【０２３２】
以下、プレイリストファイル２１７に含まれる最初のクリップ（＃１）を再生する場合を説明する。ここでは、クリップ（＃１）に対応するクリップが高解像度データのプレイリストファイル２３７に存在しない。つまり、クリップ（＃１）は、通常撮影モードで記録された画像データ、又は高解像度撮影に対応していない従来規格の画像記録装置により記録された画像データである。
【０２３３】
高解像度データが記録されていないので（Ｓ２２１でＮｏ）、画像記録再生装置１００は、通常再生モードと同様の処理（Ｓ２１１〜Ｓ２１４）を行う。なお、記録媒体２００に対応する高解像度データが記録されていない場合（Ｓ２２１でＮｏ）、制御部１１０は、ユーザにエラーの内容等を表示し、再生処理を終了してもよい。
【０２３４】
続いて、クリップ（＃２）を再生する処理を説明する。クリップ（＃２）に対応するクリップ（＃２１）が高解像度データのプレイリストファイル２３７に存在する。つまり、クリップ（＃２）は、高解像度再生モードで記録された画像データである。
【０２３５】
高解像度データが記録されているので（Ｓ２２１でＹｅｓ）、再生処理部１１５は、再生対象の通常コンテンツと、当該通常コンテンツに関連した高解像度データとを記録媒体２００から読み出す（Ｓ２２２）。具体的には、再生処理部１１５は、クリップインフォファイル２３８（０２０００．ｃｌｐｅ）によって対応付けられている高解像度データのストリームファイル２３９（０２０００．ｍ２ｔｅ）を読み出す。また、再生処理部１１５は、クリップインフォファイル２１８（０２０００．ｃｌｐｉ）によって対応付けられている通常コンテンツのストリームファイル２１９（０２０００．ｍ２ｔｓ）を読み出す。
【０２３６】
次に、第１分離伸張部１１４は、再生処理部１１５により読み出された通常コンテンツを分離及び伸張し、第２分離伸張部１１６は、再生処理部１１５により読み出された高解像度データを分離及び伸張する（Ｓ２２３）。この際に、第１分離伸張部１１４及び第２分離伸張部１１６は、通常コンテンツ及び高解像度データを合わせて伸張することで、高解像度を有する画像データを復元する。つまり、第１分離伸張部１１４及び第２分離伸張部１１６は、図１１で示した階層間予測に基づく階層符号化に基づいた伸張処理を施す。すなわち、第２分離伸張部１１６は、第１分離伸張部１１４により分離及び伸張された画像データを利用して、高解像度データを分離及び伸張する。具体的には、第２分離伸張部１１６は、第１分離伸張部１１４により生成された階層間予測用参照画像、及び第１分離伸張部１１４で用いられた伸張処理パラメータを用いて伸張処理を行う。これにより、従来規格を超える４０９６×２１６０又は３８４０×２１６０の解像度を有する画像信号が復元される。
【０２３７】
画像信号処理部１１３は、復元された高解像度の画像信号に、画像圧縮処理で発生する圧縮歪に対応したノイズキャンセラーなどの表示用の画像信号処理を施すことで、高解像度画像を生成する（Ｓ２２４）。表示部１１２は、画像信号処理部１１３により生成された高解像度画像をモニタなどに表示する（Ｓ２２５）。
【０２３８】
以上のように、実施の形態２に係る画像記録再生装置１００は、高解像度再生モード時には、従来規格に準拠した通常解像度の画像データである通常コンテンツをＢＤＭＶメインフォルダ２１０から読み出し、高解像度データをＨＩＧＨＲＥＳＯメインフォルダ２３０から読み出す。画像記録再生装置１００は、読み出した通常コンテンツと高解像度データとを用いて、高解像度画像を復元し再生する。
【０２３９】
なお、上述した再生処理部１１５、第１分離伸張部１１４、第２分離伸張部１１６及び画像信号処理部１１３による処理は、制御部１１０の制御により行われる。
【０２４０】
以上、本発明の実施の形態２に係る画像記録再生装置１００によれば、従来規格を超える解像度の高解像度画像を記録媒体２００に記録及び再生できる。
【０２４１】
また、実施の形態２に係る画像記録再生装置１００で記録した記録媒体２００を、高解像度画像の再生に対応していない従来規格に準拠した画像再生装置に装着して再生した場合には、当該画像再生装置は、従来規格準拠の１９２０×１０８０の解像度を有する画像を再生できる。すなわち、画像記録再生装置１００は、従来規格の画像再生装置との互換性を確保できる。
【０２４２】
また、実施の形態２に係る画像記録再生装置１００は、記録媒体２００の１つのファイルシステム内に、従来規格に対応した画像データと、高解像度データとを記録するので管理が容易である。つまり、本発明の実施の形態２に係る画像記録再生装置１００は、管理が容易な高解像度画像を記録できる。
【０２４３】
また、実施の形態２に係る画像記録再生装置１００は、ＨＩＧＨＲＥＳＯメインフォルダ２３０のフォルダ構成をＢＤＭＶメインフォルダ２１０のフォルダ構成にあわせて形成する。これにより、通常コンテンツと高解像度データとの対応をとりやすくできる。さらに、プレイリストファイル２１７及び２３７からクリップインフォファイル２１８及び２３８を介してストリームファイル２１９及び２３９を指定し再生する処理が通常コンテンツ用と高解像度データ用とで共用化可能となるので、制御部１１０の実装を簡略化することができる。
【０２４４】
さらに、ＨＩＧＨＲＥＳＯメインフォルダ２３０にもＢＤＭＶメインフォルダ２１０と同様のバックアップフォルダ２３６を設けておくことで、編集時にＢＡＣＫＵＰフォルダを運用するためのファイル運用手順を通常コンテンツと高解像度データとで共用化できる。
【０２４５】
以上、本発明の実施の形態２に係る画像記録再生装置１００について説明したが、本発明は、この実施の形態に限定されるものではない。
【０２４６】
例えば、上記説明では、通常コンテンツの１つのメインフォルダに対して、高解像度データの１つのメインフォルダが対応するものとして説明したが、高解像度データが複数に分割されていてもよく、それらが複数のメインフォルダに分かれて記録されていてもよい。
【０２４７】
また、上記説明では、従来規格の画像として１９２０×１０８０の解像度を有する画像を例に説明したが、従来規格の画像は１９２０×１０８０の解像度以外であってもよい。例えば、従来規格の画像は１４４０×１０８０解像度の画像であってもよい。
【０２４８】
また、上記説明では、高解像度画像は４０９６×２１６０又は３８４０×２１６０の解像度としたが、高解像度画像の画像サイズはこれに限定されるものではなく、従来規格の解像度より高い解像度であればよい。
【０２４９】
また、上記説明では、図１３において画像記録再生装置１００は、高解像度再生モードであるか否かを判定（Ｓ２２０）した後に、高解像度データが存在するか否かを判定（Ｓ２２１）するとしたが、高解像度データが存在するか否かを判定（Ｓ２２１）した後に、高解像度再生モードであるか否かを判定（Ｓ２２０）してもよい。さらに、画像記録再生装置１００は、所定の時間毎に、高解像度再生モードであるか否かの判定（Ｓ２２０）を行ってもよい。
【０２５０】
また、上記説明では、図１２に示すフォルダ構成を示したが、従来規格互換の画像と、高解像度の画像とが別のフォルダに格納されればよく、本発明はこれに限定されるものではない。つまり、プレイリストファイル２１７、クリップインフォファイル２１８及びストリームファイル２１９は、ＢＤＭＶメインフォルダ２１０、又はＢＤＭＶメインフォルダ２１０の下位に階層的に形成したフォルダに記録されればよい。プレイリストファイル２３７、クリップインフォファイル２３８及びストリームファイル２３９は、ＨＩＧＨＲＥＳＯメインフォルダ２３０、又はＨＩＧＨＲＥＳＯメインフォルダ２３０の下位に階層的に形成したフォルダに記録されればよい。
【０２５１】
また、プレイリストファイル２１７、クリップインフォファイル２１８及びストリームファイル２１９に含まれる情報の実体が、ＢＤＭＶメインフォルダ２１０内に格納される必要はなく、プレイリストファイル２１７、クリップインフォファイル２１８及びストリームファイル２１９に含まれる情報の実体を特定する情報のみがＢＤＭＶメインフォルダ２１０内に格納されてもよい。すなわち、プレイリストファイル２１７、クリップインフォファイル２１８及びストリームファイル２１９は、ＢＤＭＶメインフォルダ２１０に関連付けて記録されればよい。
【０２５２】
同様に、プレイリストファイル２３７、クリップインフォファイル２３８及びストリームファイル２３９に含まれる情報の実体が、ＨＩＧＨＲＥＳＯメインフォルダ２３０内に格納される必要はなく、プレイリストファイル２３７、クリップインフォファイル２３８及びストリームファイル２３９に含まれる情報の実体を特定する情報のみがＨＩＧＨＲＥＳＯメインフォルダ２３０内に格納されてもよい。すなわち、プレイリストファイル２３７、クリップインフォファイル２３８及びストリームファイル２３９は、ＨＩＧＨＲＥＳＯメインフォルダ２３０に関連付けて記録されればよい。
【０２５３】
また、上記説明において、第２圧縮多重部１０７は、高解像度画像信号に対し、第１圧縮多重部１０５から入力される情報を用いて階層符号化を行うとしたが、高解像度画像信号を独立して圧縮及び多重してもよい。同様に、第２分離伸張部１１６は、高解像度データを独立して分離及び伸張してもよい。
【０２５４】
また、上記実施の形態１及び２の説明において、撮影した画像データを記録媒体２００に記録する記録機能と、記録媒体２００に記録された画像データとを再生する再生機能とを備える画像記録再生装置１００を例に説明したが、本発明は、画像記録再生装置１００が有する記録機能のみを有する画像記録装置、又は再生機能のみを有する画像再生装置に適用してもよい。
【０２５５】
また、本発明に係わる画像記録再生装置１００は、ＣＰＵ（Ｃｅｎｔｒａｌ  Ｐｒｏｃｅｓｓｉｎｇ  Ｕｎｉｔ）、システムＬＳＩ（Ｌａｒｇｅ  Ｓｃａｌｅ  Ｉｎｔｅｇｒａｔｅｄ  ｃｉｒｃｕｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、及びネットワークインターフェースなどを備えてもよい。さらに、画像記録再生装置１００は、ＤＶＤ−ＲＡＭ、ＢＤ、ＳＤ（Ｓｅｃｕｒｅ  Ｄｉｇｉｔａｌ）メモリカードなどの可搬性の記録媒体に対して読み書き可能なドライブ装置を備えてもよい。
【０２５６】
また、画像記録再生装置１００は、デジタルビデオカメラ、デジタルカメラ、デジタルレコーダ、デジタルテレビ、ゲーム機、ＩＰ電話機及び携帯電話機などの組み込みシステムとしてもよい。
【０２５７】
さらに、ＨＤＤ又はＲＯＭなどに、画像記録再生装置１００を制御するプログラム（以下、記録再生プログラムと呼称する。）がインストールされており、記録再生プログラムが実行されることによって、画像記録再生装置１００の機能のうち一部又は全部が実現されてもよい。
【０２５８】
なお、記録再生プログラムは、コンピュータシステム、及び組み込みシステムなどのハードウェアシステムにおいて、読み取り可能な記録媒体に記録されていてもよい。さらに、記録再生プログラムは、記録媒体を介して他のハードウェアシステムに読み出されて実行されるとしてもよい。これによって、画像記録再生装置１００の各機能を他のハードウェアシステムに実現することができる。ここで、コンピュータシステムが読み取り可能な記録媒体は、光学記録媒体（例えば、ＣＤ−ＲＯＭなど。）、磁気記録媒体（例えば、ハードディスクなど。）、光磁気記録媒体（例えば、ＭＯなど。）、又は半導体メモリ（例えば、メモリカードなど。）などである。
【０２５９】
また、記録再生プログラムは、インターネット、ローカルエリアネットワークなどのネットワークに接続されているハードウェアシステムに保持されていてもよい。さらに、記録再生プログラムは、ネットワークを介して他のハードウェアシステムにダウンロードされて実行されてもよい。これによって、画像記録再生装置１００の各機能を他のハードウェアシステムに実現することができる。ここで、ネットワークは、地上放送網、衛星放送網、ＰＬＣ（Ｐｏｗｅｒ  Ｌｉｎｅ  Ｃｏｍｍｕｎｉｃａｔｉｏｎ）、移動電話網、有線通信網（例えば、ＩＥＥＥ８０２．３など。）、又は無線通信網（例えば、ＩＥＥＥ８０２．１１など。）である。
【０２６０】
また、画像記録再生装置１００に実装される記録再生回路（ハードウェア）によって、画像記録再生装置１００の各機能のうち一部又は全部が実現されてもよい。
【０２６１】
なお、記録再生回路は、フルカスタムＬＳＩ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのセミカスタムＬＳＩ、プログラマブル・ロジック・デバイス、及び動的に回路構成が書き換え可能なダイナミック・リコンフィギュラブル・デバイスのうち１以上に形成されてもよい。ここで、プログラマブル・ロジック・デバイスは、ＦＰＧＡ（Ｆｉｅｌｄ  Ｐｒｏｇｒａｍｍａｂｌｅ  Ｇａｔｅ  Ａｒｒａｙ）又はＣＰＬＤ（Ｃｏｍｐｌｅｘ  Ｐｒｏｇｒａｍｍａｂｌｅ  Ｌｏｇｉｃ  Ｄｅｖｉｃｅ）などである。
【０２６２】
さらに、画像記録再生装置１００の各機能を記録再生回路に形成する設計データは、ハードウェア記述言語によって記述されたプログラム（以下、ＨＤＬプログラムと呼称する。）としてもよい。さらに、ＨＤＬプログラムを論理合成して得られるゲート・レベルのネットリストとしてもよい。また、ゲート・レベルのネットリストに、配置情報、プロセス条件等を付加したマクロセル情報としてもよい。また、寸法、タイミング等が規定されたマスクデータとしてもよい。ここで、ハードウェア記述言語は、ＶＨＤＬ（Ｖｅｒｙ  ｈｉｇｈ  ｓｐｅｅｄ  ｉｎｔｅｇｒａｔｅｄ  ｃｉｒｃｕｉｔ  Ｈａｒｄｗａｒｅ  Ｄｅｓｃｒｉｐｔｉｏｎ  Ｌａｎｇｕａｇｅ）、Ｖｅｒｉｌｏｇ−ＨＤＬ、又はＳｙｓｔｅｍＣである。
【０２６３】
さらに、設計データは、コンピュータシステム、及び組み込みシステムなどのハードウェアシステムが読み取り可能な記録媒体に記録されていてもよい。さらに、記録媒体を介して他のハードウェアシステムに読み出されて実行されてもよい。そして、これらの記録媒体を介して他のハードウェアシステムに読み取られた設計データが、ダウンロードケーブルを介して、プログラマブル・ロジック・デバイスにダウンロードされてもよい。
【０２６４】
または、設計データは、インターネット、及びローカルエリアネットワークなどのネットワークに接続されているハードウェアシステムに保持されてもよい。さらに、ネットワークを介して他のハードウェアシステムにダウンロードされて実行されてもよい。そして、これらのネットワークを介して他のハードウェアシステムに取得された設計データが、ダウンロードケーブルを介して、プログラマブル・ロジック・デバイスにダウンロードされてもよい。
【０２６５】
または、設計データは、通電時にＦＰＧＡに転送され得るように、シリアルＲＯＭに記録してもよい。そして、シリアルＲＯＭに記録された設計データは、通電時に、直接、ＦＰＧＡにダウンロードされてもよい。
【０２６６】
または、設計データは、通電時に、マイクロプロセッサによって生成されて、ＦＰＧＡにダウンロードされてもよい。
【産業上の利用可能性】
【０２６７】
本発明は、画像記録装置、画像再生装置及び記録媒体に適用でき、特に、高速撮影画像又は高解像度画像を記録及び再生する、デジタルビデオカメラ、デジタルカメラ、デジタルレコーダ、デジタルテレビ、ゲーム機、ＩＰ電話機及び携帯電話機などの画像記録再生装置及び当該画像記録再生装置により高速撮影画像又は高解像度画像が記録された記録媒体に適用できる。
【図面の簡単な説明】
【０２６８】
【図１】本発明の実施の形態１に係る画像記録再生装置の外観を示す斜視図である。
【図２】本発明の実施の形態１に係る画像記録再生装置のハードウェア構成を示す図である。
【図３】本発明の実施の形態１に係る画像信号処理部、第１圧縮多重部、及び第２圧縮多重部の構成を示すブロック図である。
【図４】本発明の実施の形態１に係る画像記録再生装置による記録動作の流れを示すフローチャートである。
【図５】本発明の実施の形態１に係る画像信号処理部、第１圧縮多重部、及び第２圧縮多重部での処理の概要を示す図である。
【図６】本発明の実施の形態１に係る記録媒体に記録されているファイル構成例を示す図である。
【図７】本発明の実施の形態１に係る画像記録再生装置による再生動作の流れを示すフローチャートである。
【図８】図６のファイル構成におけるＢＤＭＶメインフォルダ以下のファイルの関係を説明する図である。
【図９】図６のファイル構成におけるＢＤＭＶメインフォルダ以下のファイルとＨＩＧＨＲＡＴＥメインフォルダ以下のファイルとの関係を説明する図である。
【図１０】本発明の実施の形態２に係る画像信号処理部、第１圧縮多重部、及び第２圧縮多重部の構成を示すブロック図である。
【図１１】本発明の実施の形態２に係る第１圧縮多重部及び第２圧縮多重部による予測画像の生成処理を示す図である。
【図１２】本発明の実施の形態２に係る記録媒体に記録されているファイル構成例を示す図である。
【図１３】本発明の実施の形態２に係る画像記録再生装置による再生動作の流れを示すフローチャートである。
【図１４】図１２のファイル構成におけるＢＤＭＶメインフォルダ以下のファイルとＨＩＧＨＲＥＳＯメインフォルダ以下のファイルとの関係を説明する図である。
【符号の説明】
【０２６９】
１００  画像記録再生装置
１０１  レンズ群
１０２  撮像部
１０３  Ａ／Ｄ変換部
１０４  画像信号処理部
１０５  第１圧縮多重部
１０６  記録処理部
１０７  第２圧縮多重部
１０８  記録制御部
１０９  入力部
１１０  制御部
１１１  画像生成部
１１２  表示部
１１３  画像信号処理部
１１４  第１分離伸張部
１１５  再生処理部
１１６  第２分離伸張部
１５０  信号処理部
１５１  フレーム振り分け部
１５２  高解像度信号処理部
１５３  ＬＰＦ部
１５４  ダウンサンプル部
１６０、１７０  動き検出動き補償部
１６１、１７１  直交変換量子化部
１６２、１７２  可変長符号化部
１６３、１７３  多重部
１７４  アップサンプル部
２００  記録媒体
２１０  ＢＤＭＶメインフォルダ
２１１  インフォファイル
２１２  メニューファイル
２１３、２２３、２３３  プレイリストフォルダ
２１４、２２４、２３４  クリップインフォフォルダ
２１５、２２５、２３５  ストリームフォルダ
２１６、２２６、２３６  バックアップフォルダ
２１７、２２７、２３７  プレイリストファイル
２１８、２２８、２３８  クリップインフォファイル
２１９、２２９、２３９  ストリームファイル
２２０  ＨＩＧＨＲＡＴＥメインフォルダ
２３０  ＨＩＧＨＲＥＳＯメインフォルダ
【図１】
2009177531.tif 000003
【図２】
2009177531.tif 000004
【図３】
2009177531.tif 000005
【図４】
2009177531.tif 000006
【図５】
2009177531.tif 000007
【図６】
2009177531.tif 000008
【図７】
2009177531.tif 000009
【図８】
2009177531.tif 000010
【図９】
2009177531.tif 000011
【図１０】
2009177531.tif 000012
【図１１】
2009177531.tif 000013
【図１２】
2009177531.tif 000014
【図１３】
2009177531.tif 000015
【図１４】
2009177531.tif 000016